(57)【特許請求の範囲】
【請求項１】
無線ローカルエリアネットワーク（ＷＬＡＮ）におけるパワーセーブモードの動作方法であって、
アクセスポイント（ＡＰ）が、複数のＳＴＡにビーコンフレームを送信するステップであって、該ビーコンフレームは、ペンディングダウンリンクデータフレームが該複数のＳＴＡのそれぞれに関して存在するか否かを示すトラフィック指示マップ（ＴＩＭ）情報、及び該ＡＰがＰＳ−ｐｏｌｌ要求フレームを送信するかを示す制御情報を含む、ステップと、
前記ＡＰが前記ＰＳ−ｐｏｌｌ要求フレームを送信することを前記制御情報が示す場合、前記ＡＰが、複数のビットグループのうちの１つのビットグループに属する複数のＰＳ−ｐｏｌｌ送信ＳＴＡに送信シーケンス番号を含む前記ＰＳ−ｐｏｌｌ要求フレームを送信するステップであって、前記ＰＳ−ｐｏｌｌ要求フレームは、前記複数のＰＳ−ｐｏｌｌ送信ＳＴＡからの複数のＰＳ−ｐｏｌｌフレームをトリガし、前記送信シーケンス番号は、前記１つのビットグループに対応する、ステップと、
前記ＡＰが、前記ＰＳ−ｐｏｌｌ要求フレームに対する応答として、前記複数のＰＳ−ｐｏｌｌ送信ＳＴＡから重なった時間リソース上で前記複数のＰＳ−ｐｏｌｌフレームを受信するステップと、
前記ＡＰが、前記複数のＰＳ−ｐｏｌｌフレームに対する応答として、前記複数のＰＳ−ｐｏｌｌ送信ＳＴＡに複数のダウンリンクフレームを送信するステップと、を含むことを特徴とする方法。
【請求項２】
前記複数のビットグループは、前記ＴＩＭ情報内の肯定インデックスにより示される複数のターゲットＳＴＡに対応し、
前記送信シーケンス番号は、前記ＡＰにより決定される、請求項１に記載の方法。
【請求項３】
前記複数のＰＳ−ｐｏｌｌフレームの各々は、複数の周波数リソースの各々を介してＯＦＤＭＡに基づいて受信され、
前記複数の周波数リソースの各々は、前記複数のＰＳ−ｐｏｌｌ送信ＳＴＡの各々のＡＩＤに基づいて順次に前記複数のＰＳ−ｐｏｌｌ送信ＳＴＡに割り当てられる、請求項１に記載の方法。
【請求項４】
前記ＰＳ−ｐｏｌｌ要求フレームは、ＡＩＤフィールド及びチャネル情報フィールドを含み、
前記ＡＩＤフィールドは、前記複数のＰＳ−ｐｏｌｌ送信ＳＴＡの各々を指示する情報を含み、
前記チャネル情報フィールドは、前記複数のＰＳ−ｐｏｌｌフレームに対するＯＦＤＭＡベースの送信のために前記複数のＰＳ−ｐｏｌｌ送信ＳＴＡの各々に割り当てられる複数の周波数リソースの各々に対する情報を含む、請求項１に記載の方法。
【請求項５】
前記ＡＰが前記ＰＳ−ｐｏｌｌ要求フレームを送信しないことを前記制御情報が示す場合、前記複数のＰＳ−ｐｏｌｌフレームの各々は、コンテンションベースのチャネルアクセスに基づいて受信される、請求項１に記載の方法。
【請求項６】
無線ローカルエリアネットワーク（ＷＬＡＮ）におけるパワーセーブモード動作のためのアクセスポイント（ＡＰ）であって、
無線信号を送信または受信するＲＦ部と、
前記ＲＦ部と動作可能なように連結されたプロセッサと、を含み、
前記プロセッサは、
複数のＳＴＡにビーコンフレームを送信し、該ビーコンフレームは、ペンディングダウンリンクデータフレームが該複数のＳＴＡのそれぞれに関して存在するか否かを示すトラフィック指示マップ（ＴＩＭ）情報、及び前記ＡＰがＰＳ−ｐｏｌｌ要求フレームを送信するかを示す制御情報を含み、
前記ＡＰが前記ＰＳ−ｐｏｌｌ要求フレームを送信することを前記制御情報が示す場合、複数のビットグループのうちの１つのビットグループに属する複数のＰＳ−ｐｏｌｌ送信ＳＴＡに送信シーケンス番号を含む前記ＰＳ−ｐｏｌｌ要求フレームを送信し、前記ＰＳ−ｐｏｌｌ要求フレームは、前記複数のＰＳ−ｐｏｌｌ送信ＳＴＡからの複数のＰＳ−ｐｏｌｌフレームをトリガし、前記送信シーケンス番号は、前記１つのビットグループに対応し、
前記ＰＳ−ｐｏｌｌ要求フレームに対する応答として、前記複数のＰＳ−ｐｏｌｌ送信ＳＴＡから重なった時間リソース上で前記複数のＰＳ−ｐｏｌｌフレームを受信し、
重なった時間リソース上で前記複数のＰＳ−ｐｏｌｌフレームに対する応答として、前記複数のＰＳ−ｐｏｌｌ送信ＳＴＡに複数のダウンリンクフレームを送信するように具現されることを特徴とするＡＰ。
【請求項７】
前記複数のビットグループは、前記ＴＩＭ情報内の肯定インデックスにより示される複数のターゲットＳＴＡに対応し、
前記送信シーケンス番号は、前記ＡＰにより決定される、請求項６に記載のＡＰ。
【請求項８】
前記複数のＰＳ−ｐｏｌｌフレームの各々は、複数の周波数リソースの各々を介してＯＦＤＭＡに基づいて受信され、
前記複数の周波数リソースの各々は、前記複数のＰＳ−ｐｏｌｌ送信ＳＴＡの各々のＡＩＤに基づいて順次に前記複数のＰＳ−ｐｏｌｌ送信ＳＴＡに割り当てられる、請求項６に記載のＡＰ。
【請求項９】
前記ＰＳ−ｐｏｌｌ要求フレームは、ＡＩＤフィールド及びチャネル情報フィールドを含み、
前記ＡＩＤフィールドは、前記複数のＰＳ−ｐｏｌｌ送信ＳＴＡの各々を指示する情報を含み、
前記チャネル情報フィールドは、前記複数のＰＳ−ｐｏｌｌフレームに対するＯＦＤＭＡベースの送信のために前記複数のＰＳ−ｐｏｌｌ送信ＳＴＡの各々に割り当てられる複数の周波数リソースの各々に対する情報を含む、請求項６に記載のＡＰ。
【請求項１０】
前記ＡＰが前記ＰＳ−ｐｏｌｌ要求フレームを送信しないことを前記制御情報が示す場合、前記複数のＰＳ−ｐｏｌｌフレームの各々は、コンテンションベースのチャネルアクセスに基づいて受信される、請求項６に記載のＡＰ。
【請求項１１】
無線ローカルエリアネットワーク（ＷＬＡＮ）におけるパワーセーブモードの動作方法であって、
ＳＴＡが、アクセスポイント（ＡＰ）からビーコンフレームを受信するステップであって、該ビーコンフレームは、ペンディングダウンリンクデータフレームが該複数のＳＴＡのそれぞれに関して存在するか否かを示すトラフィック指示マップ（ＴＩＭ）情報、及び該ＡＰがＰＳ−ｐｏｌｌ要求フレームを送信するかを示す制御情報を含む、ステップと、
前記ＡＰが前記ＰＳ−ｐｏｌｌ要求フレームを送信することを前記制御情報が示す場合、  前記ＳＴＡが、前記ＴＩＭ情報に基づいて、第１の送信シーケンス番号を決定するステップと、
前記ＳＴＡが、前記ＡＰから第２の送信シーケンス番号を含む前記ＰＳ−ｐｏｌｌ要求フレームを受信するステップであって、前記ＰＳ−ｐｏｌｌ要求フレームは、複数のビットグループのうちの１つのビットグループに属する複数のＰＳ−ｐｏｌｌ送信ＳＴＡからの複数のＰＳ−ｐｏｌｌフレームをトリガし、前記第２の送信シーケンス番号は、前記１つのビットグループに対応する、ステップと、
前記ＳＴＡが、前記第１の送信シーケンス番号が前記第２の送信シーケンス番号と同一であるか否かを決定するステップと、
前記第１の送信シーケンス番号が前記第２の送信シーケンス番号と同一である場合、前記ＳＴＡが、前記ＰＳ−ｐｏｌｌ要求フレームに対する応答として、前記ＡＰにＰＳ−ｐｏｌｌフレームを送信するステップと、
前記ＳＴＡが、前記ＰＳ−ｐｏｌｌフレームに対する応答として、前記ＡＰから前記ＳＴＡに対するペンディングとなっているダウンリンクフレームを受信するステップと、を含むことを特徴とする方法。
【発明の詳細な説明】
【技術分野】
【０００１】
本発明は、無線通信に関し、より詳しくは、無線ＬＡＮ（ｗｉｒｅｌｅｓｓ  ｌｏｃａｌ  ａｒｅａ  ｎｅｔｗｏｒｋ、ＷＬＡＮ）におけるパワーセーブモード動作のための方法及び装置に関する。
【背景技術】
【０００２】
ＩＥＥＥ８０２．１１標準では、無線ＬＡＮ  ＳＴＡ（ｓｔａｔｉｏｎ）の寿命を増加させるためにパワー節約メカニズム（ｐｏｗｅｒ  ｓａｖｅ  ｍｅｃｈａｎｉｓｍ）（または、パワー節約モード（ｐｏｗｅｒ  ｓａｖｅ  ｍｏｄｅ））が使われることができる。パワー節約モードに基づいて動作するＳＴＡは、パワー節約のためにアウェイク状態（ａｗａｋｅ  ｓｔａｔｅ）またはドーズ状態（ｄｏｚｅ  ｓｔａｔｅ）で動作できる。アウェイク状態は、フレームの送信または受信や、チャネルスキャニングのようなＳＴＡの正常動作が可能な状態である。それに対し、ドーズ状態は、電力消耗を極端に減らしてフレームの送信または受信が不可能であり、チャネルスキャニングも不可能な状態である。一般的に、ＳＴＡがパワー節約モードで動作する場合、ドーズ状態のＳＴＡは、必要な場合、アウェイク状態に切り替えてＳＴＡの電力消耗を減らすことができる。
【０００３】
ＳＴＡがドーズ状態で長い間動作する場合、ＳＴＡの電力消耗が減る。したがって、ＳＴＡの寿命が増えることができる。しかし、ドーズ状態では、フレームの送信または受信が不可能である。したがって、ＳＴＡは、ドーズ状態に長くとどまることができない。ドーズ状態でペンディングフレームが発生した場合、ＳＴＡは、アウェイク状態に切り替えてフレームをＡＰに送信することができる。しかし、ＳＴＡがドーズ状態にあり、ＳＴＡに送信するペンディングフレームがＡＰに存在する場合、ＳＴＡは、ＡＰからペンディングフレームを受信することができず、ＡＰにペンディングフレームが存在するということも知ることができない。したがって、ＳＴＡは、ＡＰにペンディングフレームの存在可否に対する情報を取得し、ＡＰにペンディングとなっているフレームを受信するために周期的にアウェイク状態に切り替えて動作できる。
【０００４】
ＡＰは、ＳＴＡのアウェイク状態動作タイミングに対する情報を取得し、ＳＴＡのアウェイク状態動作タイミングに合わせてＡＰにペンディングとなっているフレームの存在可否に対する情報を送信することができる。
【０００５】
具体的に、ドーズ状態のＳＴＡは、ＡＰから受信するフレームの存在可否に対する情報を受信するために、周期的にドーズ状態からアウェイク状態に切り替えてビーコンフレームを受信することができる。ＡＰは、ビーコンフレームに含まれているＴＩＭ（ｔｒａｆｆｉｃ  ｉｎｄｉｃａｔｉｏｎ  ｍａｐ）に基づいて各ＳＴＡに送信するフレームの存在可否に対して知らせることができる。ＴＩＭは、ＳＴＡに送信されるユニキャストフレームの存在を知らせるために使われ、ＤＴＩＭ（ｄｅｌｉｖｅｒｙ  ｔｒａｆｆｉｃ  ｉｎｄｉｃａｔｉｏｎ  ｍａｐ）は、ＳＴＡに送信されるマルチキャストフレーム／ブロードキャストフレームの存在を知らせるために使われることができる。
【発明の概要】
【発明が解決しようとする課題】
【０００６】
本発明の目的は、無線ＬＡＮにおけるパワーセーブモード動作のための方法を提供することにある。
【０００７】
本発明の他の目的は、無線ＬＡＮにおけるパワーセーブモード動作のための装置を提供することにある。
【課題を解決するための手段】
【０００８】
前述した本発明の目的を達成するための本発明の一側面による、無線ＬＡＮにおけるパワーセーブモードの動作（ｏｐｅｒａｔｉｏｎ）方法は、ＡＰ（ａｃｃｅｓｓ  ｐｏｉｎｔ）がビーコンフレームを送信するステップ、前記ＡＰが前記ビーコンフレームに含まれているＴＩＭ（ｔｒａｆｆｉｃ  ｉｎｄｉｃａｔｉｏｎ  ｍａｐ）要素の仮想ビットマップ（ｖｉｒｔｕａｌ  ｂｉｔｍａｐ）に基づいてペンディングとなっているダウンリンクデータの存在に対して指示を受けた複数のターゲットＳＴＡ（ｓｔａｔｉｏｎ）にＰＳ（ｐｏｗｅｒ  ｓａｖｉｎｇ）−ｐｏｌｌ要求フレームを送信するステップ、前記ＡＰが前記複数のターゲットＳＴＡのうち前記ＰＳ−ｐｏｌｌ要求フレームに基づいて指示された複数のＰＳ−ｐｏｌｌ送信ＳＴＡの各々から重なった時間リソース上で複数のＰＳ−ｐｏｌｌフレームの各々を受信するステップ、及び前記ＡＰが重なった時間リソース上で前記複数のＰＳ−ｐｏｌｌフレームの各々に対する応答として前記複数のＰＳ−ｐｏｌｌ送信ＳＴＡの各々に複数のダウンリンクフレームの各々を送信するステップを含む。
【０００９】
前述した本発明の目的を達成するための本発明の他の側面による、無線ＬＡＮにおけるパワーセーブモード動作のためのＡＰ（ａｃｃｅｓｓ  ｐｏｉｎｔ）は、無線信号を送信または受信するＲＦ（ｒａｄｉｏ  ｆｒｅｑｕｅｃｎｃｙ）部及び前記ＲＦ部と動作可能なように（ｏｐｅｒａｔｉｖｅｌｙ）連結されたプロセッサを含み、前記プロセッサは、ビーコンフレームを送信し、前記ビーコンフレームに含まれているＴＩＭ（ｔｒａｆｆｉｃ  ｉｎｄｉｃａｔｉｏｎ  ｍａｐ）要素の仮想ビットマップ（ｖｉｒｔｕａｌ  ｂｉｔｍａｐ）に基づいてペンディングとなっているダウンリンクデータの存在に対して指示を受けた複数のターゲットＳＴＡ（ｓｔａｔｉｏｎ）にＰＳ（ｐｏｗｅｒ  ｓａｖｉｎｇ）−ｐｏｌｌ要求フレームを送信し、前記複数のターゲットＳＴＡのうち前記ＰＳ−ｐｏｌｌ要求フレームに基づいて指示された複数のＰＳ−ｐｏｌｌ送信ＳＴＡの各々から重なった時間リソース上で複数のＰＳ−ｐｏｌｌフレームの各々を受信し、重なった時間リソース上で前記複数のＰＳ−ｐｏｌｌフレームの各々に対する応答として前記複数のＰＳ−ｐｏｌｌ送信ＳＴＡの各々に複数のダウンリンクフレームの各々を送信するように具現される。
【発明の効果】
【００１０】
ＵＬ  ＭＵ（ｕｐｌｉｎｋ  ｍｕｌｔｉ−ｕｓｅｒ）送信のためのパワーセーブモードに基づいて複数のＳＴＡが不要な電力消耗を減らしながらＡＰにペンディングとなっているデータを受信することができる。
【図面の簡単な説明】
【００１１】
【図１】無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【図２】無線ＬＡＮにおけるスキャニング方法を示す概念図である。
【図３】ＡＰとＳＴＡのスキャニング手順以後に実行される認証手順及び結合手順を示す概念図である。
【図４】ビーコンフレームベースのパワーセーブ方法を示す概念図である。
【図５】ビーコンフレームベースのパワーセーブ方法を示す概念図である。
【図６】本発明の実施例に係るＵＬ  ＭＵ  ＯＦＤＭＡ送信に基づくＰＳ−ｐｏｌｌフレームの送信方法を示す流れ図である。
【図７】本発明の実施例に係るＴＩＭ要素ベースのＳＴＡグルーピングを示す概念図である。
【図８】本発明の実施例に係るＵＬ  ＭＵ  ＯＦＤＭＡ送信に基づくＰＳ−ｐｏｌｌフレームの送信方法を示す流れ図である。
【図９】本発明の実施例に係るＵＬ  ＭＵ  ＯＦＤＭＡ送信に基づくＰＳ−ｐｏｌｌフレーム送信方法を示す概念図である。
【図１０】本発明の実施例に係るＵＬ  ＭＵ  ＯＦＤＭＡ送信に基づくＰＳ−ｐｏｌｌフレーム送信方法を示す概念図である。
【図１１】本発明の実施例に係るＰＳ−ｐｏｌｌ要求フレームを示す概念図である。
【図１２】本発明の実施例に係る明示的なグルーピング方法のためのＰＳ−ｐｏｌｌ要求フレームを示す概念図である。
【図１３】本発明の実施例に係る明示的なグルーピング方法を使用したＵＬ  ＭＵ  ＯＦＤＭＡベースのＰＳ−ｐｏｌｌフレーム送信方法を示す概念図である。
【図１４】本発明の実施例に係る明示的なグルーピング方法を使用したＵＬ  ＭＵ  ＯＦＤＭＡベースのＰＳ−ｐｏｌｌフレーム送信方法を示す概念図である。
【図１５】本発明の実施例に係る明示的なグルーピング方法を使用したＵＬ  ＭＵ  ＯＦＤＭＡベースのＰＳ−ｐｏｌｌフレーム送信方法を示す概念図である。
【図１６】本発明の実施例に係る暗示的なグルーピング方法を使用したＵＬ  ＭＵ  ＭＩＭＯベースのＰＳ−ｐｏｌｌフレーム送信方法を示す概念図である。
【図１７】本発明の実施例に係る明示的なグルーピング方法を使用したＵＬ  ＭＵ  ＭＩＭＯベースのＰＳ−ｐｏｌｌフレーム送信方法を示す概念図である。
【図１８】本発明の実施例に係るＰＳ−ｐｏｌｌ要求フレームを示す概念図である。
【図１９】本発明の実施例に係るフレームを伝達するＰＰＤＵフォーマットを示す概念図である。
【図２０】本発明の実施例が適用されることができる無線装置を示すブロック図である。
【発明を実施するための形態】
【００１２】
図１は、無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【００１３】
図１の上段は、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のインフラストラクチャネットワーク（ｉｎｆｒａｓｔｒｕｃｔｕｒｅ  ｎｅｔｗｏｒｋ）の構造を示す。
【００１４】
図１の上段を参照すると、無線ＬＡＮシステムは、一つまたはそれ以上の基本サービスセット（Ｂａｓｉｃ  Ｓｅｒｖｉｃｅ  Ｓｅｔ、ＢＳＳ）１００、１０５を含むことができる。ＢＳＳ１００、１０５は、成功的に同期化されて互いに通信できるＡＰ（ａｃｃｅｓｓ  ｐｏｉｎｔ）１２５及びＳＴＡ１（Ｓｔａｔｉｏｎ）１００−１のようなＡＰとＳＴＡのセットであり、特定領域を示す概念ではない。ＢＳＳ１０５は、一つのＡＰ１３０に一つ以上の結合可能なＳＴＡ１０５−１、１０５−２を含むこともできる。
【００１５】
インフラストラクチャＢＳＳは、少なくとも一つのＳＴＡ、分散サービス（Ｄｉｓｔｒｉｂｕｔｉｏｎ  Ｓｅｒｖｉｃｅ）を提供するＡＰ１２５、１３０及び複数のＡＰを連結させる分散システム（Ｄｉｓｔｒｉｂｕｔｉｏｎ  Ｓｙｓｔｅｍ、ＤＳ）１１０を含むことができる。
【００１６】
分散システム１１０は、複数のＢＳＳ１００、１０５を連結して拡張されたサービスセットであるＥＳＳ（ｅｘｔｅｎｄｅｄ  ｓｅｒｖｉｃｅ  ｓｅｔ）１４０を具現することができる。ＥＳＳ１４０は、一つまたは複数個のＡＰ１２５、２３０が分散システム１１０を介して連結されて構成された一つのネットワークを指示する用語として使われることができる。一つのＥＳＳ１４０に含まれるＡＰは、同じＳＳＩＤ（ｓｅｒｖｉｃｅ  ｓｅｔ  ｉｄｅｎｔｉｆｉｃａｔｉｏｎ）を有することができる。
【００１７】
ポータル（ｐｏｒｔａｌ）１２０は、無線ＬＡＮネットワーク（ＩＥＥＥ８０２．１１）と他のネットワーク（例えば、８０２．Ｘ）との連結を実行するブリッジ役割を遂行することができる。
【００１８】
図１の上段のようなインフラストラクチャネットワークでは、ＡＰ１２５、１３０間のネットワーク及びＡＰ１２５、１３０とＳＴＡ１００−１、１０５−１、１０５−２との間のネットワークが具現されることができる。しかし、ＡＰ１２５、１３０無しでＳＴＡ間でもネットワークを設定して通信を実行することも可能である。ＡＰ１２５、１３０無しでＳＴＡ間でもネットワークを設定して通信を実行するネットワークをアドホックネットワーク（Ａｄ−Ｈｏｃ  ｎｅｔｗｏｒｋ）または独立ＢＳＳ（ｉｎｄｅｐｅｎｄｅｎｔ  ｂａｓｉｃ  ｓｅｒｖｉｃｅ  ｓｅｔ）と定義する。
【００１９】
図１の下段は、独立ＢＳＳを示す概念図である。
【００２０】
図１の下段を参照すると、独立ＢＳＳ（ｉｎｄｅｐｅｎｄｅｎｔ  ＢＳＳ、ＩＢＳＳ）は、アドホックモードで動作するＢＳＳである。ＩＢＳＳは、ＡＰを含まないため、中央で管理機能を遂行するエンティティ（ｃｅｎｔｒａｌｉｚｅｄ  ｍａｎａｇｅｍｅｎｔ  ｅｎｔｉｔｙ）がない。即ち、ＩＢＳＳにおいて、ＳＴＡ１５０−１、１５０−２、１５０−３、１５５−１、１５５−２は、分散された方式（ｄｉｓｔｒｉｂｕｔｅｄ  ｍａｎｎｅｒ）に管理される。ＩＢＳＳにおいて、全てのＳＴＡ１５０−１、１５０−２、１５０−３、１５５−１、１５５−２は、移動ＳＴＡからなることができ、分散システムへの接続が許容されなくて自己完備的ネットワーク（ｓｅｌｆ−ｃｏｎｔａｉｎｅｄ  ｎｅｔｗｏｒｋ）を構築する。
【００２１】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む任意の機能媒体であり、広義では、ＡＰと非ＡＰ  ＳＴＡ（Ｎｏｎ−ＡＰ  Ｓｔａｔｉｏｎ）を両方とも含む意味として使われることができる。
【００２２】
ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、モバイル加入者ユニット（Ｍｏｂｉｌｅ  Ｓｕｂｓｃｒｉｂｅｒ  Ｕｎｉｔ）または単純にユーザ（ｕｓｅｒ）などの多様な名称で呼ばれることもある。
【００２３】
図２は、無線ＬＡＮにおけるスキャニング方法を示す概念図である。
【００２４】
図２を参照すると、スキャニング方法は、パッシブスキャニング（ｐａｓｓｉｖｅ  ｓｃａｎｎｉｎｇ）２００とアクティブスキャニング（ａｃｔｉｖｅ  ｓｃａｎｎｉｎｇ）２５０とに区分されることができる。
【００２５】
図２の左側を参照すると、パッシブスキャニング２００は、ＡＰ２１０が周期的にブロードキャストするビーコンフレーム２３０により実行されることができる。無線ＬＡＮにおけるＡＰ２１０は、ビーコンフレーム２３０を特定周期（例えば、１００ｍｓｅｃ）毎にｎｏｎ−ＡＰ  ＳＴＡ２４０にブロードキャストする。ビーコンフレーム２３０には現在のネットワークに対する情報が含まれることができる。ｎｏｎ−ＡＰ  ＳＴＡ２４０は、周期的にブロードキャストされるビーコンフレーム２３０を受信することで、ネットワーク情報を受信して認証／結合（ａｕｔｈｅｎｔｉｃａｔｉｏｎ／ａｓｓｏｃｉａｔｉｏｎ）過程を実行するＡＰ２１０とチャネルに対するスキャニングを実行することができる。
【００２６】
パッシブスキャニング方法２００では、ｎｏｎ−ＡＰ  ＳＴＡ２４０がスキャニングのための別途のフレームを送信する必要無しでＡＰ２１０で送信されるビーコンフレーム２３０に基づいてスキャニング手順を進行することができる。
【００２７】
また、ＦＩＬＳ探索フレーム（ｆａｓｔ  ｉｎｉｔｉａｌ  ｌｉｎｋ  ｓｅｔｕｐ  ｄｉｓｃｏｖｅｒｙ  ｆｒａｍｅ）が定義されることもできる。ＦＩＬＳ探索フレームは、各ＡＰでビーコンフレームの送信周期で送信されるフレームであり、ビーコンフレームより短い周期で送信されるフレームである。即ち、ＦＩＬＳ探索フレームは、ビーコンフレームの送信周期より小さい値の周期で送信されるフレームである。ＦＩＬＳ探索フレームは、ＦＩＬＳ探索フレームを送信するＡＰの識別子情報（ＳＳＩＤ、ＢＳＳＩＤ）を含むことができる。ＦＩＬＳ探索フレームは、ＳＴＡにビーコンフレームが送信される前に送信されることで、該当チャネルにＡＰが存在することをＳＴＡがあらかじめ探索するようにすることができる。一つのＡＰでＦＩＬＳ探索フレームが送信される間隔をＦＩＬＳ探索フレーム送信間隔という。ＦＩＬＳ探索フレームには、ビーコンフレームに含まれる情報の一部が含まれて送信されることができる。
【００２８】
図２の右側を参照すると、アクティブスキャニング２５０では、ｎｏｎ−ＡＰ  ＳＴＡ２９０がプローブ要求フレーム２７０をＡＰ２６０に送信して主導的にスキャニングを実行することができる。
【００２９】
ＡＰ２６０では、ｎｏｎ−ＡＰ  ＳＴＡ２９０からプローブ要求フレーム２７０を受信した後、フレーム衝突（ｆｒａｍｅ  ｃｏｌｌｉｓｉｏｎ）を防止するためにランダム時間待った後、プローブ応答フレーム２８０にネットワーク情報を含んでｎｏｎ−ＡＰ  ＳＴＡ２９０に送信することができる。ｎｏｎ−ＡＰ  ＳＴＡ２９０は、受信したプローブ応答フレーム２８０に基づいてネットワーク情報を得てスキャニング過程を中止することができる。
【００３０】
アクティブスキャニング２５０の場合、ｎｏｎ−ＡＰ  ＳＴＡ２９０が主導的にスキャニングを実行するため、スキャニングに使われる時間が短いという長所がある。しかし、ｎｏｎ−ＡＰ  ＳＴＡ２９０がプローブ要求フレーム２７０を送信しなければならないため、フレームの送信及び受信のためのネットワークオーバーヘッドが増加するという短所がある。プローブ要求フレーム２７０は、ＩＥＥＥ８０２．１１  ８．３．３．９節に開示されており、プローブ応答フレーム２８０は、ＩＥＥＥ８０２．１１  ８．３．３．１０に開示されている。
【００３１】
スキャニングが終わった後、ＡＰとｎｏｎ−ＡＰ  ＳＴＡは、認証（ａｕｔｈｅｎｔｉｃａｔｉｏｎ）手順と結合（ａｓｓｏｃｉａｔｉｏｎ）手順を実行することができる。
【００３２】
図３は、ＡＰとＳＴＡのスキャニング手順以後に実行される認証手順及び結合手順を示す概念図である。
【００３３】
図３を参照すると、パッシブ／アクティブスキャニングを実行した後、スキャニングされたＡＰのうち一つのＡＰと認証手順及び結合手順を実行することができる。
【００３４】
認証（ａｕｔｈｅｎｔｉｃａｔｉｏｎ）及び結合（ａｓｓｏｃｉａｔｉｏｎ）手順は、例えば、２方向ハンドシェイキング（２−ｗａｙ  ｈａｎｄｓｈａｋｉｎｇ）を介して実行されることができる。図３の左側は、パッシブスキャニング後、認証及び結合手順を示す概念図であり、図３の右側は、アクティブスキャニング後、認証及び結合手順を示す概念図である。
【００３５】
認証手順及び結合手順は、アクティブスキャニング方法を使用したか、またはパッシブスキャニングを使用したかと関係無しで、認証要求フレーム（ａｕｔｈｅｎｔｉｃａｔｉｏｎ  ｒｅｑｕｅｓｔ  ｆｒａｍｅ）３１０／認証応答フレーム（ａｕｔｈｅｎｔｉｃａｔｉｏｎ  ｒｅｓｐｏｎｓｅ  ｆｒａｍｅ）３２０、及び結合要求フレーム（ａｓｓｏｃｉａｔｉｏｎ  ｒｅｑｕｅｓｔ  ｆｒａｍｅ）３３０／結合応答フレーム（ａｓｓｏｃｉａｔｉｏｎ  ｒｅｓｐｏｎｓｅ  ｆｒａｍｅ）３４０をＡＰ３００、３５０とｎｏｎ−ＡＰ  ＳＴＡ３０５、３５５との間で交換することで同じように実行されることができる。
【００３６】
認証手順では、ｎｏｎ−ＡＰ  ＳＴＡ３０５、３５５は、認証要求フレーム３１０をＡＰ３００、３５０に送信することができる。ＡＰ３００、３５０は、認証要求フレーム３１０に対する応答として認証応答フレーム３２０をｎｏｎ−ＡＰ  ＳＴＡ３０５、３５５に送信することができる。認証フレームフォーマット（ａｕｔｈｅｎｔｉｃａｔｉｏｎ  ｆｒａｍｅ  ｆｏｒｍａｔ）に対してはＩＥＥＥ８０２．１１  ８．３．３．１１に開示されている。
【００３７】
結合手順では、ｎｏｎ−ＡＰ  ＳＴＡ３０５、３５５は、結合要求フレーム（ａｓｓｏｃｉａｔｉｏｎ  ｒｅｑｕｅｓｔ  ｆｒａｍｅ）３３０をＡＰ３００、３０５に送信することができる。ＡＰ３０５、３５５は、結合要求フレーム３３０に対する応答として結合応答フレーム３４０をｎｏｎ−ＡＰ  ＳＴＡ３０５、３５５に送信することができる。ＡＰに送信された結合要求フレーム３３０にはｎｏｎ−ＡＰ  ＳＴＡ３０５、３５５の性能（ｃａｐａｂｉｌｉｔｙ）に対する情報が含まれている。ＡＰ３００、３５０は、ｎｏｎ−ＡＰ  ＳＴＡ３０５、３５５の性能情報に基づいて、ｎｏｎ−ＡＰ  ＳＴＡ３０５、３５５に対するサポートが可能かどうかを判断することができる。ｎｏｎ−ＡＰ  ＳＴＡ３０５、３５５に対するサポートが可能な場合、ＡＰ３００、３５０は、結合応答フレーム３４０をｎｏｎ−ＡＰ  ＳＴＡ３０５、３５５に送信することができる。結合応答フレーム３４０は、結合要求フレーム３４０に対する受諾可否とその理由、自分がサポート可能な性能情報（ｃａｐａｂｉｌｉｔｙ  ｉｎｆｏｒｍａｔｉｏｎ）を含むことができる。結合フレームフォーマット（ａｓｓｏｃｉａｔｉｏｎ  ｆｒａｍｅ  ｆｏｒｍａｔ）に対してはＩＥＥＥ８０２．１１  ８．３．３．５／８．３．３．６に開示されている。
【００３８】
ＡＰとｎｏｎ−ＡＰ  ＳＴＡとの間で結合手順が実行された以後、ＡＰとｎｏｎ−ＡＰ  ＳＴＡとの間で正常なデータの送信及び受信が実行されることができる。ＡＰとｎｏｎ−ＡＰ  ＳＴＡとの間の結合手順が失敗した場合、結合が失敗した理由に基づいて再びＡＰと結合手順を実行し、または他のＡＰと結合手順を実行することもできる。
【００３９】
ＳＴＡがＡＰと結合される場合、ＳＴＡは、ＡＰから結合ＩＤ（ａｓｓｏｃｉａｔｉｏｎ  ｉｄｅｎｔｉｆｉｅｒ、ＡＩＤ）の割当を受けることができる。ＳＴＡに割り当てられたＡＩＤは、一つのＢＳＳ内では唯一な値であり、現在ＡＩＤは、１〜２００７のうち一つの値である。ＡＩＤのために１４ｂｉｔが割り当てられて最大１６３８３までＡＩＤの値として使用可能であるが、２００８〜１６３８３の値は、保存（ｒｅｓｅｒｖｅｄ）されている。
【００４０】
ＩＥＥＥ８０２．１１標準では、無線ＬＡＮのＳＴＡの寿命を増加させるためにパワーセーブメカニズム（パワーセーブモード）が提供される。
【００４１】
パワーセーブモードに基づいて動作するＳＴＡは、アウェイク状態（ａｗａｋｅ  ｓｔａｔｅ）とドーズ状態（ｄｏｚｅ  ｓｔａｔｅ）を切り替えて動作しながらＳＴＡの電力消費を減少させることでＳＴＡの動作寿命を増加させることができる。
【００４２】
アウェイク状態のＳＴＡは、フレームの送信または受信、チャネルスキャニングなどのような正常な動作を実行することができる。それに対し、ドーズ状態のＳＴＡは、電力消耗を減らすためにフレームの送信または受信を実行せず、チャネルスキャニングも実行しない。パワーセーブモードで動作するＳＴＡは、電力消耗を減らすためにドーズ状態に維持され、必要な場合、アウェイク状態に切り替え（または、移行（ｔｒａｎｓｉｔｉｏｎ））られてＡＰと通信を実行することができる。
【００４３】
ＳＴＡのドーズ状態の維持時間が増加するほどＳＴＡの電力消耗は減少し、ＳＴＡの寿命も増加できる。しかし、ドーズ状態では、ＳＴＡのフレームの送信または受信が不可能である。ＳＴＡにペンディングアップリンクフレームが存在する場合、ＳＴＡは、ドーズ状態からアクティブ状態に切り替えられてアップリンクフレームをＡＰに送信することができる。それに対し、ＡＰにドーズ状態のＳＴＡに送信するペンディングフレームが存在する場合、ＡＰは、ＳＴＡのアウェイクモードへの切り替え時までＳＴＡにペンディングフレームを送信することができない。
【００４４】
したがって、ＳＴＡは、時々ドーズ状態からアウェイク状態に切り替えられ、ＡＰからＳＴＡに対してペンディングとなっているフレームが存在するかどうかに対する情報を受信することができる。ＡＰは、ＳＴＡのアウェイク状態への切り替え時間を考慮してＳＴＡに対してペンディングとなっているダウンリンクデータの存在に対する情報をＳＴＡに送信することができる。
【００４５】
具体的に、ＳＴＡは、ＳＴＡに対してペンディングとなっているフレームの存在可否に対する情報を受信するために周期的にドーズ状態からアウェイク状態に切り替えられてビーコンフレームを受信することができる。ビーコンフレームは、ＳＴＡのパッシブスキャニングのために使われるフレームであり、ＡＰの能力（ｃａｐａｂｉｌｉｔｙ）に対する情報を含むことができる。ＡＰは、周期的（例えば、１００ｍｓｅｃ）にビーコンフレームをＳＴＡに送信することができる。
【００４６】
図４は、ビーコンフレームベースのパワーセーブ方法を示す概念図である。
【００４７】
図４を参照すると、ＡＰは、周期的にビーコンフレームを送信することができ、ＳＴＡは、ビーコンフレームの送信タイミングを考慮して周期的にドーズ状態からアウェイク状態に切り替えられることでビーコンフレームを受信することができる。
【００４８】
ビーコンフレームには、ＴＩＭ要素（ｔｒａｆｆｉｃ  ｉｎｄｉｃａｔｉｏｎ  ｍａｐ  ｅｌｅｍｅｎｔ）が含まれることができる。ＴＩＭ要素は、ＡＰにペンディングとなっているＳＴＡに対するダウンリンクデータに対する情報を送信するために使われることができる。例えば、ＴＩＭ要素は、ビットマップ基盤にＳＴＡにペンディングフレームに対する情報を送信することができる。
【００４９】
ＴＩＭ要素は、ＴＩＭまたはＤＴＩＭ（ｄｅｌｉｖｅｒｙ  ＴＩＭ）に区分されることができる。ＴＩＭは、ＳＴＡにユニキャスト基盤に送信されるペンディングダウンリンクデータの存在を指示することができる。ＤＴＩＭは、ブロードキャスト／マルチキャスト基盤に送信されるペンディングダウンリンクデータの存在を指示することができる。
【００５０】
図４の上段は、ＡＰがＰＳ（ｐｏｗｅｒ  ｓａｖｉｎｇ）−ｐｏｌｌフレームに対して即刻応答に基づいてダウンリンクフレームを送信する方法に対して開示する。
【００５１】
図４の上段を参照すると、ＳＴＡは、ビーコンフレーム４００のＴＩＭに基づいてＡＰからＳＴＡに対してペンディングとなっているダウンリンクデータの存在に対する情報を受信することができる。ＳＴＡは、ＰＳ−ｐｏｌｌフレーム４１０をＡＰに送信することができる。ＡＰは、ＳＴＡからＰＳ−ｐｏｌｌフレーム４１０を受信し、ＰＳ−ｐｏｌｌフレーム４１０に対する即刻応答（ｉｍｍｅｄｉａｔｅ  ｒｅｓｐｏｎｓｅ）としてダウンリンクフレーム４２０をＳＴＡに送信することができる。ＡＰのＰＳ−ｐｏｌｌフレームに対する即刻応答は、ＰＳ−ｐｏｌｌフレームを受信し、ＳＩＦＳ（ｓｈｏｒｔ  ｉｎｔｅｒｆｒａｍｅ  ｓｐａｃｅ）後に実行されることができる。
【００５２】
ＳＴＡは、ダウンリンクフレームに対する応答としてＡＣＫフレーム４３０を送信することができる。ＡＰのＳＴＡに対してペンディングとなっているダウンリンクデータの送信が終了される場合、ＳＴＡは、ドーズ状態に再び切り替え（または、移行（ｔｒａｎｓｉｔｉｏｎ））られることができる。
【００５３】
図４の下段は、ＰＳ−ｐｏｌｌフレームに対して延期された応答（ｄｅｆｅｒｒｅｄ  ｒｅｓｐｏｎｓｅ）に基づくＡＰのダウンリンクフレームの送信方法を開示する。
【００５４】
図４の下段を参照すると、ＳＴＡは、ビーコンフレーム４４０のＴＩＭに基づいてＡＰからＳＴＡに対してペンディングとなっているダウンリンクデータの存在に対する情報を受信することができる。ＳＴＡは、ＰＳ−ｐｏｌｌフレーム４５０をＡＰに送信することができる。ＡＰは、ＳＴＡからＰＳ−ｐｏｌｌフレーム４５０を受信し、ＰＳ−ｐｏｌｌフレーム４５０に対する応答としてＡＣＫフレーム４６０をＳＴＡに送信することができる。ＡＰは、ＡＣＫフレーム４６０の送信以後、ペンディングダウンリンクデータを含むダウンリンクフレーム４７０をＳＴＡに送信することができる。ＳＴＡは、ＡＣＫフレーム４６０の受信以後、ＡＰによりＳＴＡに送信されるダウンリンクフレーム４７０をモニタリングすることができる。
【００５５】
同様に、ＡＰのＳＴＡに対してペンディングとなっているダウンリンクデータの送信が終了される場合、ＳＴＡは、アウェイク状態からドーズ状態に再び切り替え（または、移行（ｔｒａｎｓｉｔｉｏｎ））られることができる。
【００５６】
図５は、ビーコンフレームベースのパワーセーブ方法を示す概念図である。
【００５７】
図５では、ビーコンフレーム５００を介してＤＴＩＭが送信される場合が開示される。ビーコンフレーム５００は、ＤＴＩＭを含むことができる。前述したように、ＤＴＩＭは、ブロードキャスト／マルチキャスト基盤に送信されるペンディングダウンリンクデータの存在を指示することができる。
【００５８】
図５を参照すると、ＡＰは、ＤＴＩＭを含むビーコンフレーム５００をＳＴＡに送信することができる。ＳＴＡは、ＤＴＩＭを含むビーコンフレーム５００を受信した後、ＰＳ−ｐｏｌｌフレームの送信無しでアウェイク状態を維持し、ダウンリンクフレーム５２０の送信をモニタリングすることができる。ＡＰは、マルチキャスト方法またはブロードキャスト方法を介してダウンリンクフレーム５２０をＳＴＡに送信することができる。
【００５９】
無線ＬＡＮシステムにおいて、ＳＴＡは、前述したＴＩＭベースのパワーセーブモードだけでなく、ＴＸＯＰに基づくパワーセーブモードであるＴＸＯＰパワーセーブモードに基づいて動作することもできる。
【００６０】
ＳＴＡのパワー管理モード（ｐｏｗｅｒ  ｍａｎａｇｅｍｅｎｔ  ｍｏｄｅ）は、アクティブモード（ａｃｔｉｖｅ  ｍｏｄｅ）とパワーセーブモード（ｐｏｗｅｒ  ｓａｖｅ  ｍｏｄｅ）とに分類されることができる。前述したＴＩＭベースのパワーセーブモードは、パワーセーブモードのうち一つである。
【００６１】
ＴＸＯＰパワーセーブモードは、アクティブモードのうち一つである。一般的に、アクティブモードで動作するＳＴＡは、アウェイク状態を維持するが、アクティブモードで動作するＳＴＡも他のＳＴＡのフレームの送信のための媒体占有が発生する場合、他のＳＴＡのフレームの送信のためのＴＸＯＰデュレーションの間は、ドーズ状態に切り替えられることができる。
【００６２】
ＳＴＡがＴＸＯＰパワーセーブモードで動作する場合、ＳＴＡは、結合されたＡＰからダウンリンクフレームを受信し、ダウンリンクフレームを伝達したダウンリンクＰＰＤＵのＰＨＹヘッダ（または、ＰＬＣＰヘッダ）に含まれているグループ識別子（Ｇｒｏｕｐ  ＩＤ）と部分結合識別子（Ｐａｒｔｉａｌ  ＡＩＤ（ａｓｓｏｃｉａｔｉｏｎ  ｉｄｅｎｔｉｆｉｅｒ））に基づいてドーズ状態（ｄｏｚｅ  ｓｔａｔｅ）に切り替えられるか、またはアウェイク状態（ａｗａｋｅ  ｓｔａｔｅ）を維持するかを決定することができる。
【００６３】
例えば、ＳＴＡは、受信したダウンリンクＰＰＤＵのＰＨＹヘッダに含まれているグループ識別子とＳＴＡのグループ識別子が一致しない場合、ドーズ状態に切り替えられることができる。また、ＳＴＡは、受信したダウンリンクＰＰＤＵのＰＨＹヘッダに含まれているグループ識別子とＳＴＡのグループ識別子が一致するが、ダウンリンクＰＰＤＵのＰＨＹヘッダに含まれているＰＡＩＤとＳＴＡのＰＡＩＤが一致しない場合、ドーズ状態に切り替えられることができる。
【００６４】
無線ＬＡＮシステムで動作するＡＰは、複数のＳＴＡの各々に重なった時間リソース上でデータを送信することができる。ＡＰからＳＴＡへの送信をダウンリンク送信という場合、このようなＡＰの送信は、ＤＬ  ＭＵ送信（ｄｏｗｎｌｉｎｋ  ｍｕｌｔｉ−ｕｓｅｒ  ｔｒａｎｓｍｉｓｓｉｏｎ）（または、ダウンリンク多重ユーザ送信）という用語で表現できる。それに対し、ＤＬ  ＳＵ（ｓｉｎｇｌｅ  ｕｓｅｒ）送信は、全体送信リソース上でＡＰから一つのＳＴＡへのダウンリンク送信である。
【００６５】
既存の無線ＬＡＮシステムにおいて、ＡＰは、ＭＵ  ＭＩＭＯ（ｍｕｌｔｉｐｌｅ  ｉｎｐｕｔ  ｍｕｌｔｉｐｌｅ  ｏｕｔｐｕｔ）に基づいてＤＬ  ＭＵ送信を実行することができ、このような送信は、ＤＬ  ＭＵ  ＭＩＭＯ送信という用語で表現されることができる。本発明の実施例では、ＡＰは、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）に基づいてＤＬ  ＭＵ送信を実行することができ、このような送信は、ＤＬ  ＭＵ  ＯＦＤＭＡ送信という用語で表現されることができる。ＤＬ  ＭＵ  ＯＦＤＭＡ送信が実行される場合、ＡＰは、重なった時間リソース上で複数の周波数リソース（または、複数のサブバンド（または、サブチャネル））の各々を介して複数のＳＴＡの各々にダウンリンクデータ（または、ダウンリンクフレーム、ダウンリンクＰＰＤＵ）を送信することができる。ＤＬ  ＭＵ  ＯＦＤＭＡ送信は、ＤＬ  ＭＵ  ＭＩＭＯ送信と共に使われることができる。例えば、ＤＬ  ＭＵ  ＯＦＤＭＡ送信のために割り当てられた特定サブバンド（または、サブチャネル）上で複数の時空間ストリーム（ｓｐａｃｅ−ｔｉｍｅ  ｓｔｒｅａｍ）（または、空間的ストリーム（ｓｐａｔｉａｌ  ｓｔｒｅａｍ））に基づくＤＬ  ＭＵ−ＭＩＭＯ送信が実行されることができる。
【００６６】
ダウンリンク送信に基づいて送信されるＰＰＤＵ、フレーム及びデータの各々は、ダウンリンクＰＰＤＵ、ダウンリンクフレーム及びダウンリンクデータという用語で表現されることができる。ＰＰＤＵは、ＰＰＤＵヘッダとＰＳＤＵ（ｐｈｙｓｉｃａｌ  ｌａｙｅｒ  ｓｅｒｖｉｃｅ  ｄａｔａ  ｕｎｉｔ）（または、ＭＰＤＵ（ＭＡＣ  ｐｒｏｔｏｃｏｌ  ｄａｔａ  ｕｎｉｔ）、または、ＭＡＣペイロード）を含むデータ単位である。ＰＰＤＵヘッダは、ＰＨＹヘッダとＰＨＹプリアンブルを含むことができる。ＰＳＤＵ（または、ＭＰＤＵ）は、フレームを含むデータ単位またはフレームである。ＰＳＤＵは、データフィールド、ＭＡＣペイロードという用語で表現されることもできる。
【００６７】
それに対し、ＳＴＡからＡＰへの送信は、アップリンク送信ということができ、複数のＳＴＡの重なった時間リソース上でのＡＰへのデータ送信は、ＵＬ  ＭＵ送信（ｕｐｌｉｎｋ  ｍｕｌｔｉ−ｕｓｅｒ  ｔｒａｎｓｍｉｓｓｉｏｎ）（または、アップリンク多重ユーザ送信）という用語で表現できる。ＵＬ  ＳＵ送信は、全体送信リソース上で一つのＳＴＡから一つのＡＰへのアップリンク送信を指示することができる。ＵＬ  ＳＵ送信のみを許容する既存の無線ＬＡＮシステムと違って、本発明の実施例に係る無線ＬＡＮシステムでは、ＵＬ  ＭＵ送信もサポートされることができる。アップリンクを介して送信されるＰＰＤＵ、フレーム及びデータの各々は、アップリンクＰＰＤＵ、アップリンクフレーム及びアップリンクデータという用語で表現されることができる。複数のＳＴＡの各々によるアップリンク送信は、周波数ドメインまたは空間ドメイン（ｓｐａｔｉａｌ  ｄｏｍａｉｎ）上で実行されることができる。
【００６８】
複数のＳＴＡの各々によるアップリンク送信が周波数ドメイン上で実行される場合、ＯＦＤＭＡに基づいて複数のＳＴＡの各々に対して互いに異なる周波数リソース（サブバンドまたはサブチャネル）がアップリンク送信リソースとして割り当てられることができる。複数のＳＴＡの各々は、割り当てられた互いに異なる周波数リソースを介してＡＰにアップリンクデータを送信することができる。このような互いに異なる周波数リソースを介した送信方法は、ＵＬ  ＭＵ  ＯＦＤＭＡ送信方法という用語で表現されることができる。
【００６９】
複数のＳＴＡの各々によるアップリンク送信が空間ドメイン上で実行される場合、複数のＳＴＡの各々に対して互いに異なる時空間ストリーム（または、空間的ストリーム）が割り当てられ、複数のＳＴＡの各々が互いに異なる時空間ストリームを介してアップリンクデータをＡＰに送信することができる。このような互いに異なる空間的ストリームを介した送信方法は、ＵＬ  ＭＵ  ＭＩＭＯ送信方法という用語で表現されることもできる。
【００７０】
ＵＬ  ＭＵ  ＯＦＤＭＡ送信とＵＬ  ＭＵ  ＭＩＭＯ送信は、共に実行されることができる。例えば、ＵＬ  ＭＵ  ＯＦＤＭＡ送信のために割り当てられた特定サブバンド（または、サブチャネル）上で複数の時空間ストリーム（または、空間的ストリーム）に基づくＵＬ  ＭＵ  ＭＩＭＯ送信が実行されることができる。
【００７１】
サブバンドは、ＤＬ  ＭＵ  ＯＦＤＭＡ送信／ＵＬ  ＭＵ  ＯＦＤＭＡのための最小周波数リソース単位である。全体周波数リソースは、少なくとも一つのチャネルを含むことができ、一つのチャネルは、少なくとも一つのサブバンドを含むことができる。サブバンドは、チャネルと同じ帯域幅大きさを有し、または複数のサブバンドが一つのチャネルに含まれることもできる。
【００７２】
以下、本発明では、ＴＩＭベースのパワーセーブモードで動作する複数のＳＴＡがＵＬ  ＭＵ送信に基づいてＰＳ−ｐｏｌｌフレームを送信する方法が開示される。本発明の実施例に係るＰＳ−ｐｏｌｌフレームのＵＬ  ＭＵ送信が使われる場合、チャネル効率性（ｃｈａｎｎｅｌ  ｅｆｆｉｃｉｅｎｃｙ）が増加してＳＴＡ間のコンテンション（ｃｏｎｔｅｎｔｉｏｎ）が減少されることができる。
【００７３】
前述したように、ＴＩＭベースのパワーセーブモードで動作するＳＴＡは、ビーコンフレームの送信周期によって周期的にアウェイク状態に切り替えられてビーコンフレームを受信することができる。ＳＴＡは、ビーコンフレームに含まれているＴＩＭ要素（ｅｌｅｍｅｎｔ）を確認し、ＴＩＭ要素内の仮想ビットマップ（ｖｉｒｔｕａｌ  ｂｉｔｍａｐ）に含まれているビットに基づいてＡＰにペンディングとなっているデータの存在可否を確認することができる。ＳＴＡは、仮想ビットマップに基づいて仮想ビットマップに含まれるビットのうちＳＴＡに対応されるビットがＡＰにペンディングとなっているデータを指示する場合（または、肯定トラフィック指示（ｐｏｓｉｔｉｖｅ  ｔｒａｆｆｉｃ  ｉｎｄｉｃａｔｉｏｎ）である場合）、ＳＴＡは、アウェイク状態でＡＰにＰＳ−ｐｏｌｌフレームを送信することができる。
【００７４】
本発明の実施例によると、ＡＰは、ＴＩＭ要素の仮想ビットマップに基づいて肯定トラフィック指示を受けた複数のＳＴＡのうち、ＵＬ  ＭＵ送信に基づいてＰＳ−ｐｏｌｌフレームを送信するＳＴＡを指示することができる。ＡＰによりＰＳ−ｐｏｌｌフレームの送信指示を受けた複数のＳＴＡは、ＵＬ  ＭＵ  ＯＦＤＭＡ送信またはＵＬ  ＭＵ  ＭＩＭＯ送信に基づいてＰＳ−ｐｏｌｌフレームを送信することができる。
【００７５】
本発明の実施例によると、ＡＰは、暗示的な方法（ｉｍｐｌｉｃｉｔ  ｍｅｔｈｏｄ）または明示的な方法（ｅｘｐｌｉｃｉｔ  ｍｅｔｈｏｄ）に基づいてＡＰにペンディングとなっているダウンリンクデータを有する複数のＳＴＡのＰＳ−ｐｏｌｌフレームのＵＬ  ＭＵ送信をスケジューリングまたは誘導することができる。
【００７６】
図６は、本発明の実施例に係るＵＬ  ＭＵ  ＯＦＤＭＡ送信に基づくＰＳ−ｐｏｌｌフレームの送信方法を示す流れ図である。
【００７７】
図６では、ＡＰが暗示的な方法でＰＳ−ｐｏｌｌフレームを送信するＳＴＡを指示する方法が開示される。
【００７８】
図６を参照すると、ＡＰがビーコンフレームを送信する（ステップＳ６００）。
【００７９】
ＡＰは、結合された複数のＳＴＡに対してペンディングとなっているダウンリンクデータの存在可否を指示するＴＩＭ要素を含むビーコンフレームを複数のＳＴＡに送信することができる。複数のＳＴＡの各々は、ＴＩＭ要素に基づいてＡＰにペンディングとなっているダウンリンクデータの存在を確認することができる。
【００８０】
複数のＳＴＡのうちＡＰにペンディングとなっているダウンリンクデータを有する複数のターゲットＳＴＡの各々は、ＴＩＭ要素に含まれる仮想ビットマップに基づいて各々のＰＳ−ｐｏｌｌフレーム送信シーケンス番号に対応されることができる。ターゲットＳＴＡは、ＡＰにペンディングとなっているダウンリンクデータを有するＳＴＡを指示する用語として使われることができる。
【００８１】
仮想ビットマップのＮ個のビットを含み、Ｎ個のビットの各々は、複数のＳＴＡの各々に対してペンディングとなっているダウンリンクデータの存在可否を指示することができる。仮想ビットマップに含まれるＮ個のビットの各々に順次にビット番号（ｂｉｔ  ｎｕｍｂｅｒ）が割り当てられることができ、仮想ビットマップに含まれるＮ個のビットの各々は、ビット番号に対応されるＳＴＡに対してペンディングとなっているダウンリンクデータの存在を指示することができる。例えば、仮想ビットマップのＭＳＢ（ｍｏｓｔ  ｓｉｇｎｉｆｉｃａｎｔ  ｂｉｔ）にビット番号０が割り当てられ、順次にビット番号が割り当てられて仮想ビットマップのＬＳＢ（ｌｅａｓｔ  ｓｉｇｎｉｆｉｃａｎｔ  ｂｉｔ）にビット番号Ｎ−１が割り当てられることができる。ビット番号ｘに対応されるビットが１である場合、ビット番号ｘに対応されるＡＩＤ（ａｓｓｏｃｉａｔｉｏｎ  ｉｄｅｎｔｉｆｉｅｒ）を有するＳＴＡに対してペンディングとなっているダウンリンクデータの存在が指示されることができる。
【００８２】
複数のターゲットＳＴＡの各々は、受信したＴＩＭ要素に含まれる仮想ビットマップに基づいてＰＳ−ｐｏｌｌフレームを送信するための複数のターゲットＳＴＡの各々のＰＳ−ｐｏｌｌフレーム送信シーケンス番号（または、シーケンス番号）を決定することができる。
【００８３】
ＵＬ  ＭＵ  ＯＦＤＭ送信に基づいて重なった時間リソース上で４個のターゲットＳＴＡのＰＳ−ｐｏｌｌフレームの送信が許容される場合、仮想ビットマップに含まれているＮ個のビットのうちペンディングダウンリンクデータの存在を指示するビット（以下、１を指示するビット）が順次に４個ずつグルーピングされて少なくとも一つのビットグループを形成することができる。割り当てられたビット番号の増加によって順次に１を指示する４個のビットが一つのビットグループでグルーピングされることができる。ビットグループの各々にはＰＳ−ｐｏｌｌフレーム送信シーケンス番号が付与され、ＰＳ−ｐｏｌｌフレーム送信シーケンス番号に基づいてビットグループが識別されることができる。ビットグループが４個のビットに基づいて形成されることは、一つの例示である。ＵＬ  ＭＵ送信可能なＳＴＡの個数によってビットグループに含まれるビットの個数は変わることができる。
【００８４】
複数のターゲットＳＴＡの各々は、仮想ビットマップに含まれている複数のターゲットＳＴＡの各々に対応されるビットが含まれるビットグループを決定し、決定されたビットグループのＰＳ−ｐｏｌｌフレーム送信シーケンス番号を複数のターゲットＳＴＡの各々のＰＳ−ｐｏｌｌフレーム送信シーケンス番号として決定することができる。
【００８５】
例えば、仮想ビットマップで１を指示するビットが１６個存在し、１６個のビットの各々は、１６個のターゲットＳＴＡの各々に対してペンディングとなっているダウンリンクデータを指示することができる。仮想ビットマップに含まれている１を指示する１６個のビットは、ビット番号によって順次に４個のビットグループでグルーピングされることができる。４個のビットグループの各々は、４個のＰＳ−ｐｏｌｌフレーム送信シーケンスの割当を受けることができる。したがって、１６個のターゲットＳＴＡは、４個のＰＳ−ｐｏｌｌフレーム送信シーケンスの各々に対応されることができる。
【００８６】
ビーコンフレームは、追加的にＰＳ−ｐｏｌｌ要求フレームに基づくＰＳ−ｐｏｌｌフレームの送信を実行するかどうかに対する情報を含むことができる。既存の場合、ターゲットＳＴＡは、ビーコンフレームを受信した後、ペンディングダウンリンクデータの受信のためにＰＳ−ｐｏｌｌ要求フレームの受信無しでコンテンションベースのチャネルアクセスを実行してＰＳ−ｐｏｌｌフレームを送信する。したがって、本発明の実施例に係るＰＳ−ｐｏｌｌ要求フレームに基づいてＰＳ−ｐｏｌｌ送信グループに対するＰＳ−ｐｏｌｌフレームの送信のみを要求するためには、あらかじめビーコンフレームにＰＳ−ｐｏｌｌ要求情報を含むことができる。ＰＳ−ｐｏｌｌ要求情報は、ＰＳ−ｐｏｌｌ要求フレームに基づくＰＳ−ｐｏｌｌフレームの送信を指示することができる。
【００８７】
ＰＳ−ｐｏｌｌ要求情報は、１ビットの情報である。
【００８８】
ＰＳ−ｐｏｌｌ要求情報が０である場合、ビーコンフレームの送信以後、ＡＰがＰＳ−ｐｏｌｌ要求フレームを別途に送信しないことを指示することができる。このような場合、複数のターゲットＳＴＡは、コンテンション基盤にチャネルアクセスを実行して媒体を取得し、ＰＳ−ｐｏｌｌ要求フレームの受信無しでＰＳ−ｐｏｌｌフレームをＡＰに送信することができる。それに対し、ＰＳ−ｐｏｌｌ要求情報が１である場合、ビーコンフレームの送信以後、ＡＰのＰＳ−ｐｏｌｌ要求フレームの送信が指示されることができる。このような場合、複数のターゲットＳＴＡの各々は、ＴＩＭ要素に基づいて複数のターゲットＳＴＡの各々のＰＳ−ｐｏｌｌフレーム送信シーケンス番号を決定することができる。複数のターゲットＳＴＡの各々は、ＡＰにより送信されたＰＳ−ｐｏｌｌ要求フレームにより指示されたＰＳ−ｐｏｌｌフレーム送信シーケンス番号が決定された複数のターゲットＳＴＡの各々のＰＳ−ｐｏｌｌフレーム送信シーケンス番号と同じ場合、ＰＳ−ｐｏｌｌフレームをＡＰに送信することができる。
【００８９】
以下、本発明の実施例では、ＡＰがＰＳ−ｐｏｌｌ要求フレームに基づいて特定ＰＳ−ｐｏｌｌフレーム送信シーケンス番号に対応される複数のターゲットＳＴＡへのみＰＳ−ｐｏｌｌフレームの送信を要求する方法が開示される。
【００９０】
ＡＰは、ＰＳ−ｐｏｌｌ要求フレームを送信する（ステップＳ６１０）。
【００９１】
ＡＰは、特定ＰＳ−ｐｏｌｌフレーム送信シーケンスに対応される複数のターゲットＳＴＡのＰＳ−ｐｏｌｌフレームの送信をトリガするためのＰＳ−ｐｏｌｌ要求フレームを送信することができる。ＰＳ−ｐｏｌｌ要求フレームは、ビーコンフレームの送信以後にＤＬ  ＭＵ送信のための全体チャネル帯域幅上で送信されることができる。ＰＳ−ｐｏｌｌ要求フレームは、全体チャネル帯域幅上でチャネル単位でエンコーディングされて送信され、または全体チャネル帯域幅上でエンコーディングされて全体チャネル帯域幅上で送信されることができる。
【００９２】
ＰＳ−ｐｏｌｌ要求フレームは、ＰＳ−ｐｏｌｌフレーム送信シーケンス番号に対する情報を含むことができる。ＰＳ−ｐｏｌｌフレーム送信シーケンス番号に対する情報は、ＰＳ−ｐｏｌｌフレームを送信する複数のターゲットＳＴＡを指示することができる。具体的に、ＰＳ−ｐｏｌｌフレーム送信シーケンス番号は、仮想ビットマップの特定ビットグループを指示することができ、特定ビットグループに含まれるビットに対応される複数のターゲットＳＴＡが指示されることができる。
【００９３】
以下、本発明の実施例では、ＰＳ−ｐｏｌｌ要求フレームにより指示されたＰＳ−ｐｏｌｌフレーム送信シーケンス番号に対応される複数のターゲットＳＴＡは、ＰＳ−ｐｏｌｌ送信ＳＴＡグループという用語で表現され、複数のターゲットＳＴＡの各々は、ＰＳ−ｐｏｌｌ送信ＳＴＡという用語で表現されることができる。
【００９４】
ＡＰは、ＰＳ−ｐｏｌｌ要求フレームに対する応答としてＵＬ  ＭＵ  ＯＦＤＭＡ送信に基づいて複数のＳＴＡにより送信されたＰＳ−ｐｏｌｌフレームを受信する（ステップＳ６２０）。
【００９５】
複数のＰＳ−ｐｏｌｌ送信ＳＴＡの各々は、ＰＳ−ｐｏｌｌ要求フレームに対する応答としてＰＳ−ｐｏｌｌフレームを割り当てられたチャネル（または、サブバンド（サブチャネル））を介して送信することができる。複数のＰＳ−ｐｏｌｌ送信ＳＴＡの各々は、あらかじめ決定された方法でＰＳ−ｐｏｌｌフレームを送信するチャネルを決定することができる。
【００９６】
複数のＰＳ−ｐｏｌｌ送信ＳＴＡの各々は、識別情報（例えば、ＡＩＤ）に基づいて複数のＰＳ−ｐｏｌｌフレームの各々を送信するチャネルを決定することができる。例えば、ＰＳ−ｐｏｌｌ送信ＳＴＡのＡＩＤが相対的に小さいほど相対的に低い周波数帯域に対応されるチャネルがＰＳ−ｐｏｌｌ送信ＳＴＡに割り当てられることができる。
【００９７】
例えば、ＰＳ−ｐｏｌｌ要求フレームにより指示されたＰＳ−ｐｏｌｌフレーム送信シーケンス番号に基づいてＰＳ−ｐｏｌｌ送信ＳＴＡグループ１のＰＳ−ｐｏｌｌフレームの送信が要求された場合、ＰＳ−ｐｏｌｌ送信ＳＴＡグループ１に含まれるＰＳ−ｐｏｌｌ送信ＳＴＡ１、ＰＳ−ｐｏｌｌ送信ＳＴＡ２、ＰＳ−ｐｏｌｌ送信ＳＴＡ３及びＰＳ−ｐｏｌｌ送信ＳＴＡ４の各々が、チャネル１乃至チャネル４の各々を介して重なった時間リソース上でＵＬ  ＭＵ  ＯＦＤＭＡ送信に基づいてＰＳ−ｐｏｌｌフレームを送信することができる。ＰＳ−ｐｏｌｌ送信ＳＴＡ１のＡＩＤが１であり、ＰＳ−ｐｏｌｌ送信ＳＴＡ２のＡＩＤが２であり、ＰＳ−ｐｏｌｌ送信ＳＴＡ３のＡＩＤが３であり、ＰＳ−ｐｏｌｌ送信ＳＴＡ４のＡＩＤが４であり、チャネル１が最も低い周波数帯域に割り当てられた周波数リソースであり、連続的な周波数帯域上でチャネル２、チャネル３及びチャネル４が割り当てられた場合が仮定されることができる。このような場合、ＰＳ−ｐｏｌｌ送信ＳＴＡ１は、チャネル１の割当を受け、割当を受けたチャネル１上でＵＬ  ＭＵ  ＰＰＤＵに含まれるＰＳ−ｐｏｌｌフレーム１を送信し、ＰＳ−ｐｏｌｌ送信ＳＴＡ２は、チャネル２の割当を受け、割当を受けたチャネル２上でＵＬ  ＭＵ  ＰＰＤＵに含まれるＰＳ−ｐｏｌｌフレーム２を送信し、ＰＳ−ｐｏｌｌ送信ＳＴＡ３は、チャネル３の割当を受け、割当を受けたチャネル３上でＵＬ  ＭＵ  ＰＰＤＵに含まれるＰＳ−ｐｏｌｌフレーム３を送信し、ＰＳ−ｐｏｌｌ送信ＳＴＡ４は、チャネル４の割当を受け、割当を受けたチャネル４上でＵＬ  ＭＵ  ＰＰＤＵに含まれるＰＳ−ｐｏｌｌフレーム４を送信することができる。
【００９８】
ＰＳ−ｐｏｌｌ送信ＳＴＡでないターゲットＳＴＡは、ＰＳ−ｐｏｌｌ送信ＳＴＡのＰＳ−ｐｏｌｌフレームに基づくダウンリンクフレームの受信手順中にドーズ状態に移行することができる。即ち、ターゲットＳＴＡのうちＰＳ−ｐｏｌｌフレームを送信してダウンリンクフレームを受信する手順を実行するＰＳ−ｐｏｌｌ送信ＳＴＡのみがアウェイク状態を維持することができる。本発明の実施例に係るダウンリンクフレーム受信手順が使われる場合、不要なＳＴＡの電力消費が減少することができる。
【００９９】
ＡＰは、ＵＬ  ＭＵ  ＯＦＤＭＡ送信に基づいて送信された複数のＰＳ−ｐｏｌｌフレームに対する応答として複数のダウンリンクフレームをＤＬ  ＭＵ送信に基づいて複数のＰＳ−ｐｏｌｌ送信ＳＴＡに送信する（ステップＳ６３０）。
【０１００】
ＡＰは、ステップＳ６２０を介して受信した複数のＰＳ−ｐｏｌｌフレームに対する応答として複数のＰＳ−ｐｏｌｌ送信ＳＴＡの各々に対してペンディングとなっているダウンリンクデータを含む複数のダウンリンクフレームの各々をＤＬ  ＭＵ  ＯＦＤＭＡ送信に基づいて送信することができる。他の表現としては、ＡＰは、ステップＳ６２０を介して受信した複数のＰＳ−ｐｏｌｌフレームに対する応答として複数のＰＳ−ｐｏｌｌ送信ＳＴＡの各々にペンディングとなっているダウンリンクデータを含む複数のダウンリンクフレームを伝達するＤＬ  ＭＵ  ＰＰＤＵをＤＬ  ＭＵ  ＯＦＤＭＡ送信に基づいて送信することができる。
【０１０１】
ＤＬ  ＭＵ  ＰＰＤＵのＰＰＤＵヘッダは、複数のＰＳ−ｐｏｌｌ送信ＳＴＡの各々に割り当てられたダウンリンクリソースに対する情報を含むことができる。複数のＰＳ−ｐｏｌｌ送信ＳＴＡの各々は、ＤＬ  ＭＵ  ＰＰＤＵのＰＰＤＵヘッダにより割り当てられたダウンリンクリソース上で送信されるダウンリンクフレームを介してＡＰにペンディングとなっているダウンリンクデータを受信することができる。
【０１０２】
ＡＰは、複数のダウンリンクフレームに対する応答として送信されたＡＣＫフレームを受信する（ステップＳ６４０）。
【０１０３】
複数のダウンリンクフレームの各々を受信した複数のＰＳ−ｐｏｌｌ送信ＳＴＡは、ＤＬ  ＭＵ  ＰＰＤＵを介して伝達された複数のダウンリンクフレームに対する応答としてＡＣＫフレームをＡＰに送信することができる。複数のＰＳ−ｐｏｌｌ送信ＳＴＡは、ＵＬ  ＭＵ送信に基づいて複数のダウンリンクフレームに対するＡＣＫフレームを送信することができる。
【０１０４】
図７は、本発明の実施例に係るＴＩＭ要素ベースのＳＴＡグルーピングを示す概念図である。
【０１０５】
図７では、ＴＩＭ要素に含まれる仮想ビットマップに含まれている複数のビットをビットグループでグルーピングする方法が開示される。
【０１０６】
図７を参照すると、１８ビットを含む仮想ビットマップが開示される。仮想ビットマップに含まれる１８個のビットの各々は、ビット番号が割り当てられ、ＡＰに結合された１８個のＳＴＡの各々と対応されることができる。
【０１０７】
仮想ビットマップに含まれている複数のビットのうち左側に位置したビット（または、ＭＳＢ（ｍｏｓｔ  ｓｉｇｎｉｆｉｃａｎｔ  ｂｉｔ））に最も小さいビット番号が割り当てられ、順次にビット番号が割り当てられて仮想ビットマップに含まれている複数のビットのうち右側に位置したビット（または、ＬＳＢ（ｌｅａｓｔ  ｓｉｇｎｉｆｉｃａｎｔ  ｂｉｔ））に最も大きいビット番号が割り当てられた場合が仮定されることができる。最も小さいビット番号を有するビットは、ＡＰに結合されたＳＴＡのうち最も小さいＡＩＤを有するＳＴＡに対応されることができる。順次にビット番号とＡＩＤが対応されて最も大きいビット番号を有するビットは、ＡＰに結合されたＳＴＡのうち最も大きいＡＩＤを有するＳＴＡに対応されることができる。または、ビット番号ｎを有するビットは、ＡＩＤ  ｎを有するＳＴＡと対応されてＳＴＡにペンディングとなっているダウンリンクデータの存在を指示することができる。
【０１０８】
本発明の実施例によると、ビット番号０に対応されるビットからビット番号の増加順序通りにビットの値が１かどうかを判断し、ｎ個のビット（例えば、ｎ＝４）を一つのビットグループでグルーピングすることができる。図７のように、ビット番号０、１、２、３に対応されるビットのビット値が１を指示するため、一つのビットグループ１  ７１０でグルーピングされ、ビット番号６、７、９、１０に対応されるビットのビット値が１を指示するため、一つのビットグループ２  ７２０でグルーピングされることが。また、ビット番号１２、１４、１５、１７に対応されるビットのビット値が１を指示するため、一つのビットグループ３  ７３０でグルーピングされることができる。
【０１０９】
複数のビットグループの各々は、ＰＳ−ｐｏｌｌフレーム送信シーケンス番号に対応されることができる。例えば、ビットグループ１  ７１０はＰＳ−ｐｏｌｌフレーム送信シーケンス番号１と対応され、ビットグループ２  ７２０はＰＳ−ｐｏｌｌフレーム送信シーケンス番号２と対応され、ビットグループ３  ７３０はＰＳ−ｐｏｌｌフレーム送信シーケンス番号３と対応されることができる。
【０１１０】
複数のターゲットＳＴＡの各々は、仮想ビットマップに含まれている複数のターゲットＳＴＡの各々に対応されるビットに基づいて複数のターゲットＳＴＡの各々に対応されるＰＳ−ｐｏｌｌフレーム送信シーケンス番号に対する情報を取得することができる。例えば、ターゲットＳＴＡ１のＡＩＤとビット番号０のビットが対応される場合、ターゲットＳＴＡ１は、仮想ビットマップに含まれているビット情報に基づいて自分がＰＳ−ｐｏｌｌフレームシーケンス１に対応されることを知ることができる。
【０１１１】
以後、複数のターゲットＳＴＡの各々は、ＰＳ−ｐｏｌｌ要求フレームに含まれているＰＳ−ｐｏｌｌフレーム送信シーケンス番号に対する情報に基づいてＰＳ−ｐｏｌｌフレームの送信可否を決定することができる。例えば、ターゲットＳＴＡ１は、ＰＳ−ｐｏｌｌ要求フレームに含まれているＰＳ−ｐｏｌｌフレーム送信シーケンス番号情報がＰＳ−ｐｏｌｌフレーム送信シーケンス番号１を指示する場合、ＰＳ−ｐｏｌｌ要求フレームに対する応答としてＰＳ−ｐｏｌｌフレームを送信することができる。
【０１１２】
図８は、本発明の実施例に係るＵＬ  ＭＵ  ＯＦＤＭＡ送信に基づくＰＳ−ｐｏｌｌフレームの送信方法を示す流れ図である。
【０１１３】
図８では、ビーコンフレームの送信以後のＵＬ  ＭＵ  ＯＦＤＭＡ送信に基づく複数のターゲットＳＴＡのＰＳ−ｐｏｌｌフレームの送信方法が開示される。図８では、説明の便宜上、ＵＬ  ＭＵ送信及びＤＬ  ＭＵ送信において、チャネル単位のデータフレームの送信が開示されるが、チャネルは、サブバンドとして解釈されることもできる。サブバンドは、チャネルと同じ帯域幅を有し、または複数のサブバンドが一つのチャネルに含まれることもできる。図８において、一つのチャネルは、２０ＭＨｚ帯域幅を有することができる。
【０１１４】
ＡＰは、ＴＩＭ要素を含むビーコンフレームを送信することができる。複数のターゲットＳＴＡの各々は、ＴＩＭ要素に含まれる仮想ビットマップに基づいて複数のターゲットＳＴＡの各々のＰＳ−ｐｏｌｌフレーム送信シーケンスに対する情報を取得することができる。
【０１１５】
ＡＰは、ビーコンフレームの送信後、ＰＳ−ｐｏｌｌ要求フレーム８００を送信することができる。
【０１１６】
ＡＰは、複数のチャネルの各々を介してチャネル単位でエンコーディングされたＰＳ−ｐｏｌｌ要求フレーム８００をＤＬ  ＭＵ  ＰＰＤＵフォーマットに基づいて送信することができる。または、ＰＳ−ｐｏｌｌ要求フレーム８００は、デュプリケートフォーマットで複数のチャネルの各々を介して送信されることもできる。以下、ＤＬ  ＭＵ  ＰＰＤＵフォーマットを介してＰＳ−ｐｏｌｌ要求フレーム８００の伝達が仮定される。
【０１１７】
ＡＰが４個のチャネル（プライマリチャネル（ｐｒｉｍａｒｙ）（以下、チャネル１）、セカンダリ（ｓｅｃｏｎｄａｒｙ）チャネル（以下、チャネル２）、ターシャリー（ｔｅｒｔｉａｒｙ）チャネル（以下、チャネル３）、クォータナリー（ｑｕａｔｅｒｎａｒｙ）チャネル（以下、チャネル４））を介してＰＳ−ｐｏｌｌ要求フレームを送信する場合、ＡＰは、４個のチャネルが可用かどうかを探索することができる。例えば、ＡＰは、チャネル１に対してＡＩＦＳ（ａｒｂｉｔｒａｔｉｏｎ  ｉｎｔｅｒ−ｆｒａｍｅ  ｓｐａｃｅ）に対応される時間の間に、チャネル２、３及び４に対してＰＩＦＳ（ＰＣＦ（ｐｏｉｎｔ  ｃｏｏｒｄｉｎａｔｉｏｎ  ｆｕｎｃｔｉｏｎ）ｉｎｔｅｒ−ｆｒａｍｅ  ｓｐａｃｅ）に対応される時間の間にチャネルが可用かどうかを判断することができる。以下、４個のチャネルが全て可用な場合を仮定して説明する。
【０１１８】
ＡＰは、ＤＬ  ＭＵ  ＰＰＤＵフォーマットに基づいてチャネルの各々を介して複数のターゲットＳＴＡにＰＳ−ｐｏｌｌ要求フレーム８００を送信することができる。
【０１１９】
複数のターゲットＳＴＡは、受信したＰＳ−ｐｏｌｌ要求フレーム８００に含まれているＰＳ−ｐｏｌｌフレーム送信シーケンス番号に対する情報に基づいてＰＳ−ｐｏｌｌフレーム８１０を送信するかどうかを決定することができる。
【０１２０】
複数のターゲットＳＴＡの各々は、受信したＰＳ−ｐｏｌｌ要求フレーム８００に含まれているＰＳ−ｐｏｌｌフレーム送信シーケンス番号が複数のターゲットＳＴＡの各々のＰＳ−ｐｏｌｌフレーム送信シーケンス番号に対応されるかどうかを決定することができる。具体的に、複数のターゲットＳＴＡの各々は、受信したＰＳ−ｐｏｌｌ要求フレーム８００に含まれているＰＳ−ｐｏｌｌフレーム送信シーケンス番号に対応されるビットグループに複数のターゲットＳＴＡの各々に対応されるビットが含まれる場合、ＰＳ−ｐｏｌｌフレーム８１０をＡＰに送信することができる。他の表現としては、複数のターゲットＳＴＡは、ビーコンフレームに含まれているＴＩＭ要素に基づいて決定した自分のＰＳ−ｐｏｌｌフレーム送信シーケンス番号とＰＳ−ｐｏｌｌ要求フレーム８００に含まれているＰＳ−ｐｏｌｌフレーム送信シーケンス番号が同じ場合、ＰＳ−ｐｏｌｌフレーム８１０をＡＰに送信することができる。ＰＳ−ｐｏｌｌ要求フレーム８００とＰＳ−ｐｏｌｌフレーム８１０のフレーム間の間隔は、ＳＩＦＳ（ｓｈｏｒｔ  ｉｎｔｅｒｆｒａｍｅ  ｓｐａｃｅ）である。
【０１２１】
即ち、複数のターゲットＳＴＡのうちＰＳ−ｐｏｌｌ要求フレーム８００に含まれているＰＳ−ｐｏｌｌフレーム送信シーケンス番号に対応される複数のＰＳ−ｐｏｌｌ送信ＳＴＡは、ＰＳ−ｐｏｌｌフレーム８１０をＡＰに送信することができる。複数のＰＳ−ｐｏｌｌ送信ＳＴＡは、ＵＬ  ＭＵ  ＰＰＤＵを介して複数のＰＳ−ｐｏｌｌフレーム８１０をＡＰに伝達することができる。ＰＳ−ｐｏｌｌ送信ＳＴＡの各々は、あらかじめ決定された方法に基づいてＰＳ−ｐｏｌｌフレーム８１０を送信するチャネルを決定することができる。例えば、ＰＳ−ｐｏｌｌ送信ＳＴＡのＡＩＤが相対的に小さいほど相対的に低い周波数帯域に対応されるチャネルの割当を受けることができる。例えば、特定ＰＳ−ｐｏｌｌフレーム送信シーケンス番号に対応される４個のＳＴＡのうち最も小さいＡＩＤに対応されるＳＴＡがチャネル１を介してＰＳ−ｐｏｌｌフレーム８１０を送信し、順次にチャネルの割当を受けて特定ＰＳ−ｐｏｌｌフレーム送信シーケンス番号に対応される４個のＳＴＡのうち最も大きいＡＩＤに対応されるＳＴＡがチャネル４を介してＰＳ−ｐｏｌｌフレーム８１０を送信することができる。
【０１２２】
ＡＰは、ＰＳ−ｐｏｌｌフレーム８１０に対する応答として複数のＰＳ−ｐｏｌｌ送信ＳＴＡの各々に複数のダウンリンクデータフレーム８２０の各々を送信することができる。具体的に、ＡＰは、ＤＬ  ＭＵ  ＰＰＤＵを介して複数のＰＳ−ｐｏｌｌ送信ＳＴＡの各々に複数のダウンリンクデータフレーム８２０の各々を伝達することができる。ダウンリンクデータフレーム８２０を送信するチャネルは、複数のＰＳ−ｐｏｌｌ送信ＳＴＡの各々のＡＩＤを考慮して決定され、またはＤＬ  ＭＵ  ＰＰＤＵのＰＰＤＵヘッダに基づいてＡＰにより指示されることができる。例えば、特定ＰＳ−ｐｏｌｌフレーム送信シーケンス番号に対応される４個のＳＴＡのうち最も小さいＡＩＤに対応されるＳＴＡがチャネル１を介してダウンリンクデータフレーム８２０を受信し、順次にチャネルの割当を受けて特定ＰＳ−ｐｏｌｌフレーム送信シーケンス番号に対応される４個のＳＴＡのうち最も大きいＡＩＤに対応されるＳＴＡがチャネル４を介してダウンリンクデータフレーム８２０を受信することができる。または、複数のダウンリンクデータフレーム８２０を伝達するＤＬ  ＭＵ  ＰＰＤＵのＰＰＤＵヘッダは、複数のＰＳ−ｐｏｌｌ送信ＳＴＡの各々のダウンリンクデータフレーム８２０の受信周波数リソース（または、チャネル）に対する情報を含むこともできる。
【０１２３】
複数のＰＳ−ｐｏｌｌ送信ＳＴＡの各々は、複数のダウンリンクデータフレーム８２０の各々に対する応答としてＡＣＫフレーム８３０をＡＰに送信することができる。
【０１２４】
図９は、本発明の実施例に係るＵＬ  ＭＵ  ＯＦＤＭＡ送信に基づくＰＳ−ｐｏｌｌフレーム送信方法を示す概念図である。
【０１２５】
図９では、ビーコンフレームの送信以後のＵＬ  ＭＵ  ＯＦＤＭＡ送信に基づく複数のターゲットＳＴＡのＰＳ−ｐｏｌｌフレームの送信方法が開示される。図９では、ＰＳ−ｐｏｌｌ要求フレーム９００が全体チャネル帯域上で送信され、一つのチャネルが２０ＭＨｚである場合が開示される。
【０１２６】
ＡＰは、ＴＩＭ要素を含むビーコンフレームを送信することができる。複数のターゲットＳＴＡの各々は、ＴＩＭ要素に含まれる仮想ビットマップに基づいて複数のターゲットＳＴＡの各々のＰＳ−ｐｏｌｌフレーム送信シーケンスに対する情報を取得することができる。
【０１２７】
ＡＰは、ビーコンフレームの送信後、ＰＳ−ｐｏｌｌ要求フレーム９００を送信することができる。
【０１２８】
ＡＰは、複数のチャネルを含む全体チャネル帯域上（例えば、８０ＭＨｚ）で全体チャネル帯域単位でエンコーディングされたＰＳ−ｐｏｌｌ要求フレーム９００を送信することができる。
【０１２９】
ＡＰは、全体チャネル帯域（チャネル１〜チャネル４）上でＰＳ−ｐｏｌｌ要求フレーム９００を送信するために４個のチャネルが可用かどうかを探索することができる。例えば、ＡＰは、チャネル１に対してＡＩＦＳに対応される時間の間に、チャネル２、３及び４に対してＰＩＦＳに対応される時間の間にチャネルが可用かどうかを判断することができる。４個のチャネルが全て可用な場合、ＡＰは、チャネル１乃至チャネル４を含む全体チャネル帯域幅（８０ＭＨｚ）上でＰＳ−ｐｏｌｌ要求フレーム９００を送信することができる。
【０１３０】
以後の手順は、図８の開示と同様である。
【０１３１】
図１０は、本発明の実施例に係るＵＬ  ＭＵ  ＯＦＤＭＡ送信に基づくＰＳ−ｐｏｌｌフレーム送信方法を示す概念図である。
【０１３２】
図１０では、ビーコンフレームの送信以後のＵＬ  ＭＵ  ＯＦＤＭＡ送信に基づく複数のターゲットＳＴＡのＰＳ−ｐｏｌｌフレームの送信方法が開示される。図１０では、ＰＳ−ｐｏｌｌ要求フレーム１０００が全体チャネル帯域上で送信され、一つのチャネルが５ＭＨｚである場合が開示される。
【０１３３】
ＡＰは、ＴＩＭ要素を含むビーコンフレームを送信することができる。複数のターゲットＳＴＡの各々は、ＴＩＭ要素に含まれる仮想ビットマップに基づいて複数のターゲットＳＴＡの各々のＰＳ−ｐｏｌｌフレーム送信シーケンスに対する情報を取得することができる。
【０１３４】
ＡＰは、ビーコンフレームの送信後、ＰＳ−ｐｏｌｌ要求フレーム１０００を送信することができる。
【０１３５】
ＡＰは、複数のチャネルを含む全体チャネル帯域上（例えば、２０ＭＨｚ）で全体チャネル帯域単位でエンコーディングされたＰＳ−ｐｏｌｌ要求フレーム１０００を送信することができる。
【０１３６】
前述したように、ＡＰは、全体チャネル帯域（チャネル１〜チャネル４）上でＰＳ−ｐｏｌｌ要求フレーム１０００を送信するために４個のチャネルが可用かどうかを探索することができる。ＡＰは、４個のチャネルが可用な場合、チャネル１乃至チャネル４を含む全体チャネル帯域幅（２０ＭＨｚ）上でＰＳ−ｐｏｌｌ要求フレーム１０００を送信することができる。
【０１３７】
以後の手順は、図８の開示と同様である。
【０１３８】
図１１は、本発明の実施例に係るＰＳ−ｐｏｌｌ要求フレームを示す概念図である。
【０１３９】
図１１では、ＰＳ−ｐｏｌｌ要求フレームの構造が開示される。
【０１４０】
図１１を参照すると、ＰＳ−ｐｏｌｌ要求フレームは、フレーム制御フィールド１１００、シーケンス番号フィールド１１１０、ＢＳＳＩＤ（ｂａｓｉｃ  ｓｅｒｖｉｃｅ  ｓｅｔ  ｉｄｅｎｔｉｆｉｅｒ）フィールド１１２０、ＦＣＳ（ｆｒａｍｅ  ｃｈｅｃｋ  ｓｅｑｕｅｎｃｅ）１１３０を含むことができる。
【０１４１】
フレーム制御フィールド１１００は、送信されたフレームがＰＳ−ｐｏｌｌ要求フレームであることを指示する情報を含むことができる。
【０１４２】
シーケンス番号フィールド１１１０は、ＰＳ−ｐｏｌｌフレーム送信シーケンス番号に対する情報を含むことができる。前述したように、ＰＳ−ｐｏｌｌフレーム送信シーケンス番号に対する情報は、複数のターゲットＳＴＡのうち、ＰＳ−ｐｏｌｌフレームを送信する複数のＰＳ−ｐｏｌｌ送信ＳＴＡを指示することができる。具体的に、ＰＳ−ｐｏｌｌフレーム送信シーケンス番号は、仮想ビットマップの特定ビットグループを指示することができる。また、ＰＳ−ｐｏｌｌフレーム送信シーケンス番号に基づいて特定ビットグループに含まれるビットに対応される複数のターゲットＳＴＡが指示されることができる。
【０１４３】
他の表現としては、シーケンス番号フィールド１１１０は、ＴＩＭ要素で肯定トラフィック指示（Ｐｏｓｉｔｉｖｅ  Ｔｒａｆｆｉｃ  Ｉｎｄｉｃａｔｉｏｎ）により設定されたＳＴＡの束であるグループ番号（または、ビットグループ番号）とマッピングされるシーケンス番号（または、ＰＳ−ｐｏｌｌフレーム送信シーケンス番号）に対する情報を含むことができる。
【０１４４】
ＢＳＳＩＤフィールド１１２０は、ＰＳ−ｐｏｌｌ要求フレームを送信したソース（例えば、ＡＰ）を指示するソースアドレス（ｓｏｕｒｃｅ  ａｄｄｒｅｓｓ）情報を含むことができる。
【０１４５】
ＦＣＳ１１３０は、フレームのエラー可否をチェックするための情報を含むことができる。
【０１４６】
図６乃至図１１では、暗示的なグルーピング（ｉｍｐｌｉｃｉｔ  ｇｒｏｕｐｉｎｇ）方法を使用したＵＬ  ＭＵ  ＯＦＤＭＡベースのＰＳ−ｐｏｌｌフレーム送信方法が開示された。以下、本発明の実施例では、明示的なグルーピング（ｅｘｐｌｉｃｉｔ  ｇｒｏｕｐｉｎｇ）方法を使用したＵＬ  ＭＵ  ＯＦＤＭＡベースのＰＳ−ｐｏｌｌフレーム送信方法が開示される。
【０１４７】
図１２は、本発明の実施例に係る明示的なグルーピング方法のためのＰＳ−ｐｏｌｌ要求フレームを示す概念図である。
【０１４８】
図１２を参照すると、ＡＰにより送信されるＰＳ−ｐｏｌｌ要求フレームは、ターゲットＳＴＡのうちＰＳ−ｐｏｌｌフレームを送信するＰＳ−ｐｏｌｌ送信ＳＴＡを直接的に指示するＡＩＤ情報を含むことができる。明示的なグルーピング方法では、ＰＳ−ｐｏｌｌフレーム送信シーケンス番号に基づいて暗示的にＰＳ−ｐｏｌｌ送信ＳＴＡが指示されずに、ＡＩＤ情報に基づいて明示的にＰＳ−ｐｏｌｌ送信ＳＴＡが指示されることができる。ＡＩＤ情報は、ＰＳ−ｐｏｌｌ送信ＳＴＡを指示するための情報の一つの例示として、他の識別情報がＰＳ−ｐｏｌｌ送信ＳＴＡを指示するために使われることもできる。
【０１４９】
ＰＳ−ｐｏｌｌ要求フレームは、フレーム制御フィールド１２００、ＢＳＳＩＤフィールド１２１０、ＡＩＤ情報フィールド１２２０、チャネル情報フィールド１２３０及びＦＣＳ１２４０を含むことができる。
【０１５０】
フレーム制御フィールド１２００は、送信されたフレームがＰＳ−ｐｏｌｌ要求フレームであることを指示する情報を含むことができる。
【０１５１】
ＢＳＳＩＤフィールド１２１０は、ＰＳ−ｐｏｌｌ要求フレームを送信したソース（例えば、ＡＰ）を指示するソースアドレス（ｓｏｕｒｃｅ  ａｄｄｒｅｓｓ）情報を含むことができる。
【０１５２】
ＡＩＤ情報フィールド１２２０は、ターゲットＳＴＡのうちＰＳ−ｐｏｌｌフレームを送信するＰＳ−ｐｏｌｌ送信ＳＴＡを指示するＡＩＤ情報を含むことができる。他の表現としては、ＡＩＤ情報フィールド１２２０は、ＢＳＳＩＤフィールドに基づいて指示されるアドレス情報をＲＡ（ｒｅｃｅｉｖｉｎｇ  ａｄｄｒｅｓｓ）にし、ＰＳ−ｐｏｌｌフレームを送信すべきＳＴＡ（ＰＳ−ｐｏｌｌ送信ＳＴＡ）のＡＩＤに対する情報を含むことができる。ＡＩＤ情報フィールド１２２０は、最大４個のＡＩＤを含むことができる。
【０１５３】
チャネル情報フィールド１２３０は、複数のＰＳ−ｐｏｌｌ送信ＳＴＡの各々により複数のＰＳ−ｐｏｌｌフレームの各々の送信のための周波数リソース（例えば、チャネル）に対する情報を含むことができる。例えば、ＡＩＤ情報フィールド１２２０が４個のＰＳ−ｐｏｌｌ送信ＳＴＡを指示する場合、チャネル情報フィールド１２３０は、４個のＰＳ−ｐｏｌｌ送信ＳＴＡの各々のＰＳ−ｐｏｌｌフレームの送信のための周波数リソースに対する情報を含むことができる。例えば、チャネル情報フィールド１２３０は、最大４個のチャネルを指示するためのチャネル番号（ｃｈａｎｎｅｌ  ｎｕｍｂｅｒ）を含むことができる。
【０１５４】
例えば、チャネル情報フィールド１２３０は、順次に複数個のチャネルを指示する情報を含むことができ、チャネル情報フィールド１２３０に基づいて順次に指示された複数個のチャネルは、ＡＩＤ情報フィールド１２２０に基づいて順次に指示された複数のＰＳ−ｐｏｌｌ送信ＳＴＡと順次にマッピングされることができる。例えば、ＡＩＤ情報フィールド１２２０に基づいてＳＴＡ１、ＳＴＡ２、ＳＴＡ３及びＳＴＡ４が順次に指示され、チャネル情報フィールド１２３０に基づいてチャネル１、チャネル２、チャネル３及びチャネル４が順次に指示された場合を仮定することができる。このような場合、ＳＴＡ１はチャネル１を、ＳＴＡ２はチャネル２を、ＳＴＡ３はチャネル３を、ＳＴＡ４はチャネル４を、ＰＳ−ｐｏｌｌフレームの送信のための周波数リソースとして割当を受けることができる。
【０１５５】
ＦＣＳ１２４０は、フレームのエラー可否をチェックするための情報を含むことができる。
【０１５６】
本発明の実施例に係る明示的なグルーピング（ｅｘｐｌｉｃｉｔ  ｇｒｏｕｐｉｎｇ）方法を使用したＵＬ  ＭＵ  ＯＦＤＭＡベースのＰＳ−ｐｏｌｌフレーム送信方法が使われる場合、ビーコンフレームのＴＩＭ要素に基づくＳＴＡのＰＳ−ｐｏｌｌフレーム送信シーケンスの確認無しでＰＳ−ｐｏｌｌ要求フレームに基づいて直接的にＰＳ−ｐｏｌｌフレームを送信するＰＳ−ｐｏｌｌ送信ＳＴＡが指示されることができる。
【０１５７】
図１３は、本発明の実施例に係る明示的なグルーピング方法を使用したＵＬ  ＭＵ  ＯＦＤＭＡベースのＰＳ−ｐｏｌｌフレーム送信方法を示す概念図である。
【０１５８】
図１３では、ビーコンフレームの送信以後の明示的なグルーピング方法を使用したＵＬ  ＭＵ  ＯＦＤＭＡベースのＰＳ−ｐｏｌｌフレームの送信方法が開示される。図１３において、一つのチャネルは、２０ＭＨｚ帯域幅を有することができる。
【０１５９】
ＡＰは、ＴＩＭ要素を含むビーコンフレームを送信することができる。複数のＳＴＡの各々は、ＴＩＭ要素に含まれる仮想ビットマップに基づいてペンディングとなっているダウンリンクフレームの存在可否を確認することができる。ＴＩＭベースのパワーセーブモードで動作するＳＴＡは、ＴＩＭ要素に含まれる仮想ビットマップに基づいてペンディングとなっているダウンリンクフレームの存在が指示されない場合、ドーズ状態に切り替えられることができる。
【０１６０】
ＴＩＭ要素に含まれる仮想ビットマップに基づいてペンディングとなっているダウンリンクフレームの存在が指示されたターゲットＳＴＡは、アウェイク状態を維持しながら、ＰＳ−ｐｏｌｌ要求フレーム１３００の送信をモニタリングすることができる。
【０１６１】
ＡＰは、ＰＳ−ｐｏｌｌ要求フレーム１３００を送信することができる。ＡＰは、ＤＬ  ＭＵ  ＰＰＤＵフォーマットに基づいてチャネル１乃至チャネル４上にＰＳ−ｐｏｌｌ要求フレーム１３００をターゲットＳＴＡに伝達することができる。ＰＳ−ｐｏｌｌ要求フレーム１３００は、ターゲットＳＴＡのうちＰＳ−ｐｏｌｌフレーム１３１０を送信する複数のＰＳ−ｐｏｌｌ送信ＳＴＡに対する情報及び複数のＰＳ−ｐｏｌｌ送信ＳＴＡの各々のＰＳ−ｐｏｌｌフレーム１３１０の送信のための周波数リソースに対する情報を含むことができる。
【０１６２】
ＰＳ−ｐｏｌｌ要求フレーム１３００を受信したターゲットＳＴＡは、ＰＳ−ｐｏｌｌ要求フレーム１３００に含まれている複数のＰＳ−ｐｏｌｌ送信ＳＴＡに対する情報に基づいてＰＳ−ｐｏｌｌフレーム１３１０の送信可否を決定することができる。
【０１６３】
ＰＳ−ｐｏｌｌ要求フレーム１３００に含まれている複数のＰＳ−ｐｏｌｌ送信ＳＴＡに対する情報に基づいてターゲットＳＴＡのうちＰＳ−ｐｏｌｌフレーム１３１０を送信する複数のＰＳ−ｐｏｌｌ送信ＳＴＡが決定されることができる。複数のＰＳ−ｐｏｌｌ送信ＳＴＡの各々は、ＰＳ−ｐｏｌｌ要求フレーム１３００に含まれているＰＳ−ｐｏｌｌフレーム１３１０の送信のための周波数リソースに対する情報に基づいて割り当てられたチャネル上でＰＳ−ｐｏｌｌフレーム１３１０をＵＬ  ＭＵ  ＯＦＤＭＡに基づいて送信することができる。
【０１６４】
例えば、ＰＳ−ｐｏｌｌ要求フレーム１３００に含まれている複数のＰＳ−ｐｏｌｌ送信ＳＴＡに対する情報がターゲットＳＴＡのうちＳＴＡ１、ＳＴＡ２、ＳＴＡ３及びＳＴＡ４を指示し、ＰＳ−ｐｏｌｌ要求フレーム１３００に含まれている複数のＰＳ−ｐｏｌｌ送信ＳＴＡの各々のＰＳ−ｐｏｌｌフレーム１３１０の送信のための周波数リソースに対する情報がチャネル１、チャネル２、チャネル３及びチャネル４を指示する場合を仮定することができる。このような場合、ＵＬ  ＭＵ  ＯＦＤＭＡに基づいて重なった時間リソース上で、ＳＴＡ１はチャネル１を介して、ＳＴＡ２はチャネル２を介して、ＳＴＡ３はチャネル３を介して、ＳＴＡ４はチャネル４を介して、ＰＳ−ｐｏｌｌフレーム１３１０をＡＰに送信することができる。
【０１６５】
ＡＰは、複数のＰＳ−ｐｏｌｌ送信ＳＴＡの各々からＰＳ−ｐｏｌｌフレーム１３１０を受信し、複数のＰＳ−ｐｏｌｌ送信ＳＴＡの各々に複数のダウンリンクデータフレーム１３２０の各々を送信することができる。
【０１６６】
ＡＰは、ＤＬ  ＭＵ  ＰＰＤＵフォーマットに基づいてチャネル１乃至チャネル４の各々を介してダウンリンクデータフレーム１３２０を複数のＰＳ−ｐｏｌｌ送信ＳＴＡの各々に送信することができる。
【０１６７】
ダウンリンクデータフレーム１３２０を送信するチャネルは、複数のＰＳ−ｐｏｌｌ送信ＳＴＡの各々のＡＩＤを考慮して決定され、またはＤＬ  ＭＵ  ＰＰＤＵのＰＰＤＵヘッダに基づいてＡＰにより指示されることができる。例えば、複数のＰＳ−ｐｏｌｌ送信ＳＴＡの各々にＰＳ−ｐｏｌｌ要求フレーム１３００を送信した送信チャネルと同じチャネル上で、複数のＰＳ−ｐｏｌｌ送信ＳＴＡの各々にペンディングとなっているダウンリンクフレーム１３２０が複数のＰＳ−ｐｏｌｌ送信ＳＴＡの各々に送信されることができる。または、複数のダウンリンクフレーム１３２０を伝達するＤＬ  ＭＵ  ＰＰＤＵのＰＰＤＵヘッダは、複数のＰＳ−ｐｏｌｌ送信ＳＴＡの各々のダウンリンクフレーム１３２０の受信周波数リソースに対する情報を含むこともできる。
【０１６８】
複数のＰＳ−ｐｏｌｌ送信ＳＴＡの各々は、複数のダウンリンクデータフレーム１３２０の各々に対する応答としてＡＣＫフレーム１３３０をＡＰに送信することができる。
【０１６９】
図１４は、本発明の実施例に係る明示的なグルーピング方法を使用したＵＬ  ＭＵ  ＯＦＤＭＡベースのＰＳ−ｐｏｌｌフレーム送信方法を示す概念図である。
【０１７０】
図１４では、ビーコンフレームの送信以後の明示的なグルーピング方法を使用したＵＬ  ＭＵ  ＯＦＤＭＡベースのＰＳ−ｐｏｌｌフレームの送信方法が開示される。図１４では、ＰＳ−ｐｏｌｌ要求フレーム１４００が全体チャネル帯域上で送信され、一つのチャネルが２０ＭＨｚである場合が開示される。
【０１７１】
ＡＰは、ＴＩＭ要素を含むビーコンフレームを送信することができる。ビーコンフレームを受信したＳＴＡは、ＴＩＭ要素に含まれる仮想ビットマップに基づいてターゲットＳＴＡかどうかを決定することができる。
【０１７２】
ＡＰは、ビーコンフレームの送信後、ＰＳ−ｐｏｌｌ要求フレーム１４００を送信することができる。ＡＰは、複数のチャネルを含む全体チャネル帯域上（例えば、８０ＭＨｚ）で全体チャネル帯域単位でエンコーディングされたＰＳ−ｐｏｌｌ要求フレーム１４００を送信することができる。
【０１７３】
ＡＰは、全体チャネル帯域（チャネル１〜チャネル４）上でＰＳ−ｐｏｌｌ要求フレーム１４００を送信するために４個のチャネルの可用かどうかを探索することができる。例えば、ＡＰは、チャネル１に対してＡＩＦＳに対応される時間の間に、チャネル２、３及び４に対してＰＩＦＳに対応される時間の間にチャネルが可用かどうかを判断することができる。４個のチャネルが全て可用な場合、ＡＰは、チャネル１乃至チャネル４を含む全体チャネル帯域幅（８０ＭＨｚ）上でＰＳ−ｐｏｌｌ要求フレーム１４００を送信することができる。
【０１７４】
ＰＳ−ｐｏｌｌ要求フレーム１４００のＡＩＤフィールドは、ターゲットＳＴＡのうちＰＳ−ｐｏｌｌフレーム１４１０を送信する複数のＰＳ−ｐｏｌｌ送信ＳＴＡに対する情報を含むことができる。また、ＰＳ−ｐｏｌｌ要求フレーム１４００のチャネル情報フィールドは、複数のＰＳ−ｐｏｌｌ送信ＳＴＡの各々のＰＳ−ｐｏｌｌフレーム１４１０の送信のための周波数リソースに対する情報を含むことができる。以後の手順は、図１３の開示と同様である。
【０１７５】
図１５は、本発明の実施例に係る明示的なグルーピング方法を使用したＵＬ  ＭＵ  ＯＦＤＭＡベースのＰＳ−ｐｏｌｌフレーム送信方法を示す概念図である。
【０１７６】
図１５では、ビーコンフレームの送信以後のＵＬ  ＭＵ  ＯＦＤＭＡ送信に基づく複数のターゲットＳＴＡのＰＳ−ｐｏｌｌフレームの送信方法が開示される。図１５では、ＰＳ−ｐｏｌｌ要求フレームが全体チャネル帯域上で送信され、一つのチャネルが５ＭＨｚである場合が開示される。
【０１７７】
ＡＰは、ビーコンフレームの送信後、ＰＳ−ｐｏｌｌ要求フレーム１５００を送信することができる。
【０１７８】
ＡＰは、複数のチャネルを含む全体チャネル帯域上（例えば、２０ＭＨｚ）を全体チャネル帯域単位でエンコーディングされたＰＳ−ｐｏｌｌ要求フレーム１５００を送信することができる。
【０１７９】
前述したように、ＡＰは、全体チャネル帯域（チャネル１〜チャネル４）上でＰＳ−ｐｏｌｌ要求フレーム１５００を送信するために４個のチャネルが可用かどうかを探索することができる。ＡＰは、４個のチャネルが可用な場合、チャネル１乃至チャネル４を含む全体チャネル帯域幅（２０ＭＨｚ）上でＰＳ−ｐｏｌｌ要求フレームを送信することができる。
【０１８０】
ＰＳ−ｐｏｌｌ要求フレーム１５００のＡＩＤフィールドは、ターゲットＳＴＡのうちＰＳ−ｐｏｌｌフレーム１５１０を送信する複数のＰＳ−ｐｏｌｌ送信ＳＴＡに対する情報を含むことができる。また、ＰＳ−ｐｏｌｌ要求フレーム１５００のチャネル情報フィールドは、複数のＰＳ−ｐｏｌｌ送信ＳＴＡの各々のＰＳ−ｐｏｌｌフレーム１５１０の送信のための周波数リソース（例えば、５ＭＨｚのサブチャネル）に対する情報を含むことができる。以後の手順は、図１３の開示と同様である。
【０１８１】
図６乃至図１５では、暗示的なグルーピング方法／明示的なグルーピング方法を使用したＵＬ  ＭＵ  ＯＦＤＭＡベースのＰＳ−ｐｏｌｌフレーム送信方法が開示された。以下、本発明の実施例では、暗示的なグルーピング方法／明示的なグルーピング方法を使用したＵＬ  ＭＵ  ＭＩＭＯ（ｍｕｌｔｉｐｌｅ  ｉｎｐｕｔ  ｍｕｌｔｉｐｌｅ  ｏｕｔｐｕｔ）ベースのＰＳ−ｐｏｌｌフレーム送信方法が開示される。
【０１８２】
図１６は、本発明の実施例に係る暗示的なグルーピング方法を使用したＵＬ  ＭＵ  ＭＩＭＯベースのＰＳ−ｐｏｌｌフレーム送信方法を示す概念図である。
【０１８３】
図１６を参照すると、暗示的なグルーピング方法を使用したＵＬ  ＭＵ  ＭＩＭＯベースのＰＳ−ｐｏｌｌフレーム送信方法で複数のターゲットＳＴＡは、ビーコンフレーム１６００のＴＩＭ要素に含まれている仮想ビットマップに基づいて自分のＰＳ−ｐｏｌｌフレーム送信シーケンス番号に対する情報を取得することができる。
【０１８４】
複数のターゲットＳＴＡのうちＡＰにより送信されるＰＳ−ｐｏｌｌ要求フレーム１６１０に含まれるＰＳ−ｐｏｌｌフレーム送信シーケンス番号に対する情報に基づいて複数のＰＳ−ｐｏｌｌ送信ＳＴＡが決定されることができる。
【０１８５】
複数のＰＳ−ｐｏｌｌ送信ＳＴＡは、ＰＳ−ｐｏｌｌフレーム１６２０をＡＰに送信することができる。複数のＰＳ−ｐｏｌｌ送信ＳＴＡは、ＵＬ  ＭＵ  ＭＩＭＯに基づいて複数のＰＳ−ｐｏｌｌフレーム１６２０をＡＰに伝達することができる。図１６のように、ＰＳ−ｐｏｌｌ要求フレーム１６１０に基づいて指示されたＰＳ−ｐｏｌｌフレーム送信シーケンス番号が１である場合、ＰＳ−ｐｏｌｌフレーム送信シーケンス番号が１であるＳＴＡ１及びＳＴＡ３がＰＳ−ｐｏｌｌフレーム１６２０を送信することができる。ＰＳ−ｐｏｌｌ送信ＳＴＡの各々は、あらかじめ決定された方法に基づいてＰＳ−ｐｏｌｌフレーム１６２０を送信する時空間ストリームに対して決定できる。
【０１８６】
例えば、ＰＳ−ｐｏｌｌ送信ＳＴＡのＡＩＤが相対的に小さいほど相対的に小さい時空間ストリームインデックスに対応される時空間ストリームを介してＰＳ−ｐｏｌｌフレーム１６２０を送信することができる。特定ＰＳ−ｐｏｌｌフレーム送信シーケンス番号に対応される４個のＳＴＡのうち最も小さいＡＩＤに対応されるＳＴＡが時空間ストリーム１を介してＰＳ−ｐｏｌｌフレーム１６２０を送信し、順次に時空間ストリームの割当を受けて特定ＰＳ−ｐｏｌｌフレーム送信シーケンス番号に対応される４個のＳＴＡのうち最も大きいＡＩＤに対応されるＳＴＡが時空間ストリーム４を介してＰＳ−ｐｏｌｌフレーム１６２０を送信することができる。
【０１８７】
または、本発明の他の実施例によると、ＰＳ−ｐｏｌｌ要求フレーム１６２０は、ＰＳ−ｐｏｌｌ送信ＳＴＡの各々に割り当てられた時空間ストリームに対する情報を含むことができる。ＰＳ−ｐｏｌｌ送信ＳＴＡの各々に割り当てられた時空間ストリームに対する情報は、ＰＳ−ｐｏｌｌ送信ＳＴＡの各々に割り当てられた時空間ストリームの個数に対する情報を含むことができる。複数のＰＳ−ｐｏｌｌ送信ＳＴＡのＡＩＤを基準に順次にＰＳ−ｐｏｌｌフレーム１６２０を送信する時空間ストリームの個数が決定されることができる。
【０１８８】
例えば、ＰＳ−ｐｏｌｌ要求フレーム１６１０に基づいて複数のＰＳ−ｐｏｌｌ送信ＳＴＡの各々に割り当てられた時空間ストリームに対する情報が（１、１、１、１）である。このような場合、複数のＰＳ−ｐｏｌｌ送信ＳＴＡのうち最も小さいＡＩＤに対応されるＰＳ−ｐｏｌｌ送信ＳＴＡは、時空間ストリーム１の割当を受けることができる。複数のＰＳ−ｐｏｌｌ送信ＳＴＡの各々は、ＡＩＤの大きさを基準に順次に時空間ストリームの割当を受けて複数のＰＳ−ｐｏｌｌ送信ＳＴＡのうち最も大きいＡＩＤに対応されるＰＳ−ｐｏｌｌ送信ＳＴＡは、時空間ストリーム４の割当を受けてＰＳ−ｐｏｌｌフレーム１６２０を送信することができる。
【０１８９】
ＡＰは、ＰＳ−ｐｏｌｌフレーム１６２０に対する応答として複数のＰＳ−ｐｏｌｌ送信ＳＴＡの各々に複数のダウンリンクデータフレームの各々を送信することができる。具体的に、ＡＰは、ＤＬ  ＭＵ  ＰＰＤＵを介して複数のＰＳ−ｐｏｌｌ送信ＳＴＡの各々に複数のダウンリンクデータフレーム１６３０の各々を伝達することができる。ダウンリンクデータフレーム１６３０を送信するチャネルは、複数のＰＳ−ｐｏｌｌ送信ＳＴＡの各々のＡＩＤを考慮して決定され、またはＤＬ  ＭＵ  ＰＰＤＵのＰＰＤＵヘッダに基づいてＡＰにより指示されることができる。例えば、特定ＰＳ−ｐｏｌｌフレーム送信シーケンス番号に対応される４個のＳＴＡのうち最も小さいＡＩＤに対応されるＳＴＡがチャネル１を介してダウンリンクデータフレーム１６３０を受信し、順次にチャネルの割当を受けて特定ＰＳ−ｐｏｌｌフレーム送信シーケンス番号に対応される４個のＳＴＡのうち最も大きいＡＩＤに対応されるＳＴＡがチャネル４を介してダウンリンクデータフレーム１６３０を受信することができる。または、複数のダウンリンクフレーム１６３０を伝達するＤＬ  ＭＵ  ＰＰＤＵのＰＰＤＵヘッダは、複数のＰＳ−ｐｏｌｌ送信ＳＴＡの各々のダウンリンクフレーム１６３０の受信周波数リソース（または、チャネル）に対する情報を含むこともできる。
【０１９０】
複数のＰＳ−ｐｏｌｌ送信ＳＴＡの各々は、複数のダウンリンクデータフレーム１６３０の各々に対する応答としてＡＣＫフレーム１６４０をＡＰに送信することができる。
【０１９１】
図１７は、本発明の実施例に係る明示的なグルーピング方法を使用したＵＬ  ＭＵ  ＭＩＭＯベースのＰＳ−ｐｏｌｌフレーム送信方法を示す概念図である。
【０１９２】
図１７を参照すると、明示的なグルーピング方法を使用したＵＬ  ＭＵ  ＭＩＭＯベースのＰＳ−ｐｏｌｌフレーム送信方法では、ＰＳ−ｐｏｌｌ要求フレームがＰＳ−ｐｏｌｌフレームを送信するＰＳ−ｐｏｌｌ送信ＳＴＡを直接的に指示することができる。また、ＰＳ−ｐｏｌｌ要求フレームは、ＰＳ−ｐｏｌｌ送信ＳＴＡのＰＳ−ｐｏｌｌフレームの送信のための時空間ストリームリソースに対する情報などを含むことができる。
【０１９３】
複数のＳＴＡは、ビーコンフレーム１７００を受信し、ビーコンフレーム１７００のＴＩＭ要素に含まれている仮想ビットマップに基づいてペンディングとなっているダウンリンクデータの存在可否に対して決定できる。ＴＩＭベースのパワーセーブモードで動作するＳＴＡは、ＴＩＭ要素に含まれる仮想ビットマップに基づいてペンディングとなっているダウンリンクフレームの存在が指示されない場合、ドーズ状態に切り替えられることができる。
【０１９４】
ＴＩＭ要素に含まれる仮想ビットマップに基づいてペンディングとなっているダウンリンクフレームの存在が指示されたターゲットＳＴＡは、アウェイク状態を維持しながら、ＰＳ−ｐｏｌｌ要求フレーム１７１０の送信をモニタリングすることができる。
【０１９５】
ＡＰは、ＰＳ−ｐｏｌｌ要求フレーム１７１０を送信することができる。ＡＰは、ＤＬ  ＭＵ  ＰＰＤＵフォーマットに基づいてＰＳ−ｐｏｌｌ要求フレーム１７１０をターゲットＳＴＡに伝達することができる。ＰＳ−ｐｏｌｌ要求フレーム１７１０は、ターゲットＳＴＡのうちＰＳ−ｐｏｌｌフレーム１７２０を送信する複数のＰＳ−ｐｏｌｌ送信ＳＴＡに対する情報及び複数のＰＳ−ｐｏｌｌ送信ＳＴＡの各々のＰＳ−ｐｏｌｌフレーム１７２０の送信のための時空間ストリームリソースに対する情報を含むことができる。
【０１９６】
ＰＳ−ｐｏｌｌ要求フレーム１７１０を受信したターゲットＳＴＡは、ＰＳ−ｐｏｌｌ要求フレーム１７１０に含まれている複数のＰＳ−ｐｏｌｌ送信ＳＴＡに対する情報に基づいてＰＳ−ｐｏｌｌフレーム１７２０の送信可否を決定することができる。
【０１９７】
ターゲットＳＴＡのうちＰＳ−ｐｏｌｌ要求フレーム１７１０に含まれている複数のＰＳ−ｐｏｌｌ送信ＳＴＡに対する情報に基づいてＰＳ−ｐｏｌｌフレーム１７２０の送信が指示された複数のＰＳ−ｐｏｌｌ送信ＳＴＡの各々は、複数のＰＳ−ｐｏｌｌ送信ＳＴＡの各々のＰＳ−ｐｏｌｌフレーム１７２０の送信のための時空間ストリームリソースに対する情報に基づいて割り当てられた時空間ストリーム上でＰＳ−ｐｏｌｌフレーム１７２０をＵＬ  ＭＵ  ＭＩＭＯに基づいて送信することができる。
【０１９８】
例えば、ＰＳ−ｐｏｌｌ要求フレーム１７１０に含まれている複数のＰＳ−ｐｏｌｌ送信ＳＴＡに対する情報がターゲットＳＴＡのうちＳＴＡ１、ＳＴＡ２、ＳＴＡ３及びＳＴＡ４を指示し、ＰＳ−ｐｏｌｌ要求フレーム１７１０に含まれている複数のＰＳ−ｐｏｌｌ送信ＳＴＡの各々のＰＳ−ｐｏｌｌフレーム１７２０の送信のための時空間ストリームリソースに対する情報が時空間ストリーム１、時空間ストリーム２、時空間ストリーム３及び時空間ストリーム４を指示する場合を仮定することができる。このような場合、ＵＬ  ＭＵ  ＭＩＭＯに基づいて重なった時間リソース上で、ＳＴＡ１は時空間ストリーム１を介して、ＳＴＡ２は時空間ストリーム２を介して、ＳＴＡ３は時空間ストリーム３を介して、ＳＴＡ４は時空間ストリーム４を介して、ＰＳ−ｐｏｌｌフレーム１７２０をＡＰに送信することができる。
【０１９９】
または、複数のＰＳ−ｐｏｌｌ送信ＳＴＡの各々のＰＳ−ｐｏｌｌフレーム１７２０の送信のための時空間ストリームリソースに対する情報は、複数のＰＳ−ｐｏｌｌ送信ＳＴＡの各々のＰＳ−ｐｏｌｌフレーム１７２０の送信のための時空間ストリームの個数に対する情報を含むこともできる。
【０２００】
ＰＳ−ｐｏｌｌ要求フレーム１７１０は、複数のＰＳ−ｐｏｌｌ送信ＳＴＡの各々のＰＳ−ｐｏｌｌフレーム１７２０の送信時に使われるＭＣＳ（ｍｏｄｕｌａｔｉｏｎ  ａｎｄ  ｃｏｄｉｎｇ  ｓｃｈｅｍｅ）に対する情報（ＭＣＳ  ｉｎｆｏｒｍａｔｉｏｎ）、複数のＰＳ−ｐｏｌｌ送信ＳＴＡの各々のＰＳ−ｐｏｌｌフレーム１７２０の送信のための時間リソース及び周波数リソースの補正のための情報を含むことができる。
【０２０１】
複数のＰＳ−ｐｏｌｌ送信ＳＴＡの各々のＰＳ−ｐｏｌｌフレーム１７２０の送信のための時間リソースの補正のための情報は、時間アドバンスフィールド（ｔｉｍｅ  ａｄｖａｎｃｅフィールド）、複数のＰＳ−ｐｏｌｌ送信ＳＴＡの各々のＰＳ−ｐｏｌｌフレーム１７２０の送信のための周波数リソースの補正のための情報は、周波数オフセットフィールドに含まれてＰＳ−ｐｏｌｌ要求フレーム１７１０を介して送信されることができる。
【０２０２】
複数のＰＳ−ｐｏｌｌ送信ＳＴＡの各々は、時間アドバンスフィールド及び周波数オフセットフィールドに基づいてＰＳ−ｐｏｌｌフレーム１７２０を送信する時間リソース及び周波数リソースを補正することができる。
【０２０３】
ＡＰは、複数のＰＳ−ｐｏｌｌ送信ＳＴＡの各々からＰＳ−ｐｏｌｌフレーム１７２０を受信し、複数のＰＳ−ｐｏｌｌ送信ＳＴＡの各々に複数のダウンリンクデータフレーム１７３０の各々を送信することができる。
【０２０４】
ＡＰは、ＤＬ  ＭＵ  ＰＰＤＵフォーマットに基づいて複数の周波数リソース（例えば、チャネル１乃至チャネル４の各々）または複数の時空間ストリームリソース（例えば、時空間ストリーム１乃至時空間ストリーム４の各々）を介してダウンリンクデータフレーム１７３０を複数のＰＳ−ｐｏｌｌ送信ＳＴＡの各々に送信することができる。
【０２０５】
複数のＰＳ−ｐｏｌｌ送信ＳＴＡの各々は、複数のダウンリンクデータフレーム１７３０の各々に対する応答としてＡＣＫフレーム１７４０をＡＰに送信することができる。
【０２０６】
図１８は、本発明の実施例に係るＰＳ−ｐｏｌｌ要求フレームを示す概念図である。
【０２０７】
図１８を参照すると、ＰＳ−ｐｏｌｌ要求フレームは、フレーム制御フィールド１８００、ＢＳＳＩＤフィールド１８１０、ＡＩＤ情報フィールド１８２０、時空間ストリーム情報フィールド１８３０、ＭＣＳ情報フィールド１８４０、タイムアドバンスフィールド１８５０、周波数オフセットフィールド１８６０、ＦＣＳ１８７０を含むことができる。
【０２０８】
フレーム制御フィールド１８００は、送信されたフレームがＰＳ−ｐｏｌｌ要求フレームであることを指示する情報を含むことができる。
【０２０９】
ＢＳＳＩＤフィールド１８１０は、ＰＳ−ｐｏｌｌ要求フレームを送信したソース（例えば、ＡＰ）を指示するソースアドレス（ｓｏｕｒｃｅ  ａｄｄｒｅｓｓ）情報を含むことができる。
【０２１０】
ＡＩＤ情報フィールド１８２０は、ターゲットＳＴＡのうちＰＳ−ｐｏｌｌフレームを送信するＰＳ−ｐｏｌｌ送信ＳＴＡを指示するＡＩＤ情報を含むことができる。他の表現としては、ＡＩＤ情報フィールド１８２０は、ＢＳＳＩＤフィールドに基づいて指示されるアドレス情報をＲＡ（ｒｅｃｅｉｖｉｎｇ  ａｄｄｒｅｓｓ）にし、ＰＳ−ｐｏｌｌフレームを送信すべきＳＴＡ（ＰＳ−ｐｏｌｌ送信ＳＴＡ）のＡＩＤに対する情報を含むことができる。ＡＩＤ情報フィールド１８２０は、最大４個のＡＩＤを含むことができる。
【０２１１】
時空間ストリーム情報フィールド１８３０は、複数のＰＳ−ｐｏｌｌ送信ＳＴＡの各々のＰＳ−ｐｏｌｌフレームの送信のために割り当てられる時空間ストリームに対する情報を含むことができる。例えば、時空間ストリーム情報フィールド１８３０は、ＡＩＤ情報フィールドに基づいて指示されたＡＩＤの順序別にＭＵ送信を実行する各ユーザに対する時空間ストリームに対する情報を含むことができる。
【０２１２】
ＭＣＳ情報フィールド１８４０は、ＰＳ−ｐｏｌｌ送信ＳＴＡの各々のＰＳ−ｐｏｌｌフレームの送信のためのＭＣＳに対する情報を含むことができる。
【０２１３】
タイムアドバンスフィールド１８５０は、複数のＰＳ−ｐｏｌｌ送信ＳＴＡのＰＳ−ｐｏｌｌフレームの送信のための時間リソースの調整のための情報を含むことができる。例えば、タイムアドバンスフィールド１８５０は、複数のＰＳ−ｐｏｌｌ送信ＳＴＡの各々の以前アップリンクフレームの送信を介して測定された時間アドバンス（ｔｉｍｅ  ａｄｖａｎｃｅ）情報を含むことができる。複数のＰＳ−ｐｏｌｌ送信ＳＴＡの各々は、タイムアドバンスフィールド１８５０に基づいて時間を調整してアップリンクフレームを送信することができる。
【０２１４】
周波数オフセットフィールド１８６０は、複数のＰＳ−ｐｏｌｌ送信ＳＴＡのＰＳ−ｐｏｌｌフレームの送信のための周波数リソースの調整のための情報を含むことができる。例えば、周波数オフセットフィールド１８６０は、複数のＰＳ−ｐｏｌｌ送信ＳＴＡの以前アップリンクフレームの送信に基づいて決定された周波数帯域補正のための周波数オフセット情報を含むことができる。複数のＰＳ−ｐｏｌｌ送信ＳＴＡの各々は、周波数オフセットフィールド１８６０に基づいて周波数帯域を調整してアップリンクフレームを送信することができる。
【０２１５】
ＦＣＳ１８７０は、フレームのエラー可否をチェックするための情報を含むことができる。
【０２１６】
本発明の実施例に係るＵＬ  ＭＵ  ＭＩＭＯベースのＰＳ−ｐｏｌｌフレーム送信方法は、複数のＰＳ−ｐｏｌｌ送信ＳＴＡのＭＵ−ＭＩＭＯベースのＰＳ−Ｐｏｌｌフレームの送信時、ＰＳ−ｐｏｌｌフレームの送信同期（ｓｙｎｃ）を合わせなければならない。
【０２１７】
複数のＰＳ−Ｐｏｌｌフレームの送信同期を合わせるために、下記のような方法が使われることができる。
【０２１８】
ＡＰは、ＰＳ−ｐｏｌｌ要求フレームを介して時間リソース及び周波数リソースでＰＳ−ｐｏｌｌフレームの送信同期を合わせるための情報を送信することができる。前述したように、ＰＳ−ｐｏｌｌ要求フレームは、時間リソース及び周波数リソースでＰＳ−ｐｏｌｌフレームの送信同期を合わせるための時間アドバンスフィールド及び周波数オフセットフィールドを含むことができる。ＰＳ−ｐｏｌｌ送信ＳＴＡは、ＰＳ−ｐｏｌｌ要求フレームを受信し、時間アドバンスフィールド及び周波数オフセットフィールドに基づいて周波数リソース及び時間リソース上で同期化されてＰＳ−ｐｏｌｌフレームを送信することができる。
【０２１９】
他の方法として、ＰＳ−ｐｏｌｌ要求フレームを伝達する（ｃａｒｒｙｉｎｇ）ＵＬ  ＭＵ  ＰＰＤＵフォーマットが拡張ＣＰを含むＯＦＤＭシンボル上で送信されることができる。拡張ＣＰが使われる場合、一般ＣＰを使用する時より時間リソース上で時間同期を合わせるための範囲が広くなることができる。ＵＬ  ＭＵ  ＰＰＤＵのうち一部のフィールドは、拡張ＣＰを含むＯＦＤＭシンボル上で送信されることができる。例えば、ＨＥ（ｈｉｇｈ  ｅｆｆｉｃｉｅｎｃｙ）−ＳＴＦ（ｓｈｏｒｔ  ｔｒａｉｎｉｎｇ  ｆｉｅｌｄ）、ＨＥ−ＳＩＧ（ｓｉｇｎａｌ）、ＰＳ−ｐｏｌｌフレームを伝達するＭＡＣペイロード（または、データフィールド）は、拡張ＣＰを含むＯＦＤＭシンボル上で送信されることができる。または、ＵＬ  ＭＵ  ＰＰＤＵフォーマットは、一般ＣＰを含むレガシ部分（Ｌ−ＳＴＦ、Ｌ−ＬＴＦ、Ｌ−ＳＩＧ）を含まないこともある。一般ＣＰは、８００ｎｓ（ｎａｎｏ  ｓｅｃｏｎｄ）であり、拡張ＣＰは、一般ＣＰで２倍または４倍増えた構造であり、１６００ｎｓ、３２００ｎｓである。拡張ＣＰは、室外環境でフレームのエラーを低くするために使われることができる。
【０２２０】
図１９は、本発明の実施例に係るフレームを伝達するＰＰＤＵフォーマットを示す概念図である。
【０２２１】
図１９では、本発明の実施例に係るＰＰＤＵフォーマットに対して開示する。ＰＰＤＵは、ＰＰＤＵヘッダ及びＭＰＤＵ（ＭＡＣ  ｐｒｏｔｏｃｏｌ  ｄａｔａ  ｕｎｉｔ）（または、ＰＳＤＵ（ｐｈｙｓｉｃａｌ  ｌａｙｅｒ  ｓｅｒｖｉｃｅ  ｄａｔａ  ｕｎｉｔ））を含むことができる。フレームは、ＭＰＤＵに対応されることができる。ＰＰＤＵフォーマットのＰＰＤＵヘッダは、ＰＰＤＵのＰＨＹヘッダ及びＰＨＹプリアンブルを含む意味で使われることができる。
【０２２２】
図１９に開示されるＰＰＤＵフォーマットは、前述したフレーム（例えば、ＰＳ−ｐｏｌｌ要求フレーム、ＰＳ−ｐｏｌｌフレーム、データフレーム等）を伝達するために使われることができる。
【０２２３】
図１９の上段を参照すると、ＰＰＤＵのＰＰＤＵヘッダは、Ｌ−ＳＴＦ（ｌｅｇａｃｙ−ｓｈｏｒｔ  ｔｒａｉｎｉｎｇ  ｆｉｅｌｄ）、Ｌ−ＬＴＦ（ｌｅｇａｃｙ−ｌｏｎｇ  ｔｒａｉｎｉｎｇ  ｆｉｅｌｄ）、Ｌ−ＳＩＧ（ｌｅｇａｃｙ−ｓｉｇｎａｌ）、ＨＥ−ＳＩＧ  Ａ（ｈｉｇｈ  ｅｆｆｉｃｉｅｎｃｙ−ｓｉｇｎａｌ  Ａ）、ＨＥ−ＳＴＦ（ｈｉｇｈ  ｅｆｆｉｃｉｅｎｃｙ−ｓｈｏｒｔ  ｔｒａｉｎｉｎｇ  ｆｉｅｌｄ）、ＨＥ−ＬＴＦ（ｈｉｇｈ  ｅｆｆｉｃｉｅｎｃｙ−ｌｏｎｇ  ｔｒａｉｎｉｎｇ  ｆｉｅｌｄ）、ＨＥ−ＳＩＧ  Ｂ（ｈｉｇｈ  ｅｆｆｉｃｉｅｎｃｙ−ｓｉｇｎａｌ−Ｂ）を含むことができる。ＰＨＹヘッダにおいて、Ｌ−ＳＩＧまではレガシ部分（ｌｅｇａｃｙ  ｐａｒｔ）と、Ｌ−ＳＩＧ以後のＨＥ（ｈｉｇｈ  ｅｆｆｉｃｉｅｎｃｙ）部分（ＨＥ  ｐａｒｔ）と、に区分されることができる。
【０２２４】
Ｌ−ＳＴＦ１９００は、短いトレーニングＯＦＤＭシンボル（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＳＴＦ１９００は、フレーム探知（ｆｒａｍｅ  ｄｅｔｅｃｔｉｏｎ）、ＡＧＣ（ａｕｔｏｍａｔｉｃ  ｇａｉｎ  ｃｏｎｔｒｏｌ）、ダイバーシティ探知（ｄｉｖｅｒｓｉｔｙ  ｄｅｔｅｃｔｉｏｎ）、コース周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使われることができる。
【０２２５】
Ｌ−ＬＴＦ１９１０は、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＬＴＦ１９１０は、ファイン周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル予測のために使われることができる。
【０２２６】
Ｌ−ＳＩＧ１９２０は、制御情報を送信するために使われることができる。Ｌ−ＳＩＧ１９２０は、データ送信率（ｒａｔｅ）、データ長さ（ｌｅｎｇｔｈ）に対する情報を含むことができる。
【０２２７】
ＨＥ−ＳＩＧ  Ａ１９３０は、ＰＰＤＵを受信するターゲットＳＴＡを指示するためのＳＴＡの識別情報を含むことができる。ＳＴＡは、ＨＥ−ＳＩＧ  Ａ１９３０に含まれる情報をターゲットＳＴＡの識別子情報に基づいてＰＰＤＵの受信するかどうかに対して決定できる。ＰＰＤＵのＨＥ−ＳＩＧ  Ａ１９３０に基づいてＳＴＡが指示された場合、ＳＴＡは、ダウンリンクＰＰＤＵに対する追加的なデコーディングを実行することができる。また、ＨＥ−ＳＩＧ  Ａ１９３０は、ダウンリンクデータを受信するリソース（周波数リソース（または、サブバンド）（ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）ベースの送信時）または時空間ストリームリソース（ＭＩＭＯ（ｍｕｌｔｉｌｐｌｅ  ｉｎｐｕｔ  ｍｕｌｔｉｐｌｅ  ｏｕｔｐｕｔ）ベースの送信時））に対する情報を含むこともできる。前述したように、ＨＥ−ＳＩＧ  Ａ１１３０は、ダウンリンクデータフレームを受信するダウンリンクリソースに対する情報を含むことができる。
【０２２８】
また、ＨＥ−ＳＩＧ  Ａ１９３０は、ＢＳＳ識別のためのカラービット（ｃｏｌｏｒ  ｂｉｔｓ）情報、帯域幅（ｂａｎｄｗｉｄｔｈ）情報、テールビット（ｔａｉｌ  ｂｉｔ）、ＣＲＣビット、ＨＥ−ＳＩＧ  Ｂ１９６０に対するＭＣＳ（ｍｏｄｕｌａｔｉｏｎ  ａｎｄ  ｃｏｄｉｎｇ  ｓｃｈｅｍｅ）情報、ＨＥ−ＳＩＧ  Ｂ１９６０のためのシンボル個数情報、ＣＰ（ｃｙｃｌｉｃ  ｐｒｅｆｉｘ）（または、ＧＩ（ｇｕａｒｄ  ｉｎｔｅｒｖａｌ））長さ情報を含むこともできる。
【０２２９】
ＨＥ−ＳＴＦ１９４０は、ＭＩＭＯ環境またはＯＦＤＭＡ環境で自動利得制御推定（ａｕｔｏｍａｔｉｃ  ｇａｉｎ  ｃｏｎｔｒｏｌ  ｅｓｔｉｍａｔｉｏｎ）を向上させるために使われることができる。
【０２３０】
ＨＥ−ＬＴＦ１９５０は、ＭＩＭＯ環境またはＯＦＤＭＡ環境でチャネルを推定するために使われることができる。
【０２３１】
ＨＥ−ＳＩＧ  Ｂ１９６０は、各ＳＴＡに対するＰＳＤＵ（Ｐｈｙｓｉｃａｌ  ｌａｙｅｒ  ｓｅｒｖｉｃｅ  ｄａｔａ  ｕｎｉｔ）の長さＭＣＳ（ｍｏｄｕｌａｔｉｏｎ  ａｎｄ  ｃｏｄｉｎｇ  ｓｃｈｅｍｅ）に対する情報及びテールビットなどを含むことができる。
【０２３２】
ＨＥ−ＳＴＦ１９４０及びＨＥ−ＳＴＦ１９４０以後のフィールドに適用されるＩＦＦＴ（ｉｎｖｅｒｓｅ  ｆａｓｔ  ｆｏｕｒｉｅｒ  ｔｒａｎｓｆｏｒｍ）の大きさとＨＥ−ＳＴＦ１９４０以前のフィールドに適用されるＩＦＦＴの大きさは、互いに異なる。例えば、ＨＥ−ＳＴＦ１９４０及びＨＥ−ＳＴＦ１９４０以後のフィールドに適用されるＩＦＦＴの大きさは、ＨＥ−ＳＴＦ１９４０以前のフィールドに適用されるＩＦＦＴの大きさより整数倍（例えば、４倍）大きい。ＳＴＡがＰＰＤＵを受信した場合、ＳＴＡは、ＰＰＤＵのＨＥ−ＳＩＧ  Ａ１９３０をデコーディングし、ＨＥ−ＳＩＧ  Ａ１９３０に含まれているターゲットＳＴＡの識別子情報に基づいてＨＥ−ＳＩＧ  Ａ１９３０以後フィールドのデコーディング可否を決定することができる。このような場合、ＨＥ−ＳＩＧ  Ａ１９３０に含まれているターゲットＳＴＡの識別子情報がＳＴＡの識別子を指示する場合、ＳＴＡは、ＨＥ−ＳＴＦ１９４０及びＨＥ−ＳＴＦ１９４０以後フィールドから変更されたＦＦＴサイズに基づいてデコーディングを実行することができる。それに対し、ＨＥ−ＳＩＧ  Ａ１９３０に含まれているターゲットＳＴＡの識別子情報がＳＴＡの識別子を指示しない場合、ＳＴＡは、デコーディングを中断し、ＮＡＶ（ｎｅｔｗｏｒｋ  ａｌｌｏｃａｔｉｏｎ  ｖｅｃｔｏｒ）を設定することができる。ＨＥ−ＳＴＦ１９４０のＣＰ（ｃｙｃｌｉｃ  ｐｒｅｆｉｘ）は、他のフィールドのＣＰより大きい大きさを有することができ、このようなＣＰ区間の間に、ＳＴＡは、ＦＦＴサイズを変化させてダウンリンクＰＰＤＵに対するデコーディングを実行することができる。
【０２３３】
図１９の上段で開示されたＰＰＤＵのフォーマットを構成するフィールドの順序は、変わることができる。例えば、図１９の中段に開示されたように、ＨＥ部分のＨＥ−ＳＩＧ  Ｂ１９１５がＨＥ−ＳＩＧ  Ａ１９０５の直後に位置することもできる。ＳＴＡは、ＨＥ−ＳＩＧ  Ａ１９０５及びＨＥ−ＳＩＧ  Ｂ１９１５までデコーディングし、必要な制御情報を受信し、ＮＡＶを設定することができる。同様に、ＨＥ−ＳＴＦ１９２５及びＨＥ−ＳＴＦ１９２５以後のフィールドに適用されるＩＦＦＴの大きさは、ＨＥ−ＳＴＦ１９２５以前のフィールドに適用されるＩＦＦＴの大きさと異なる。
【０２３４】
ＳＴＡは、ＨＥ−ＳＩＧ  Ａ１９０５及びＨＥ−ＳＩＧ  Ｂ１９１５を受信することができる。ＨＥ−ＳＩＧ  Ａ１９０５に基づいてＳＴＡのＰＰＤＵの受信が指示される場合、ＳＴＡは、ＨＥ−ＳＴＦ１９２５からはＦＦＴサイズを変化させてＰＰＤＵに対するデコーディングを実行することができる。それに対し、ＳＴＡは、ＨＥ−ＳＩＧ  Ａ１９０５を受信し、ＨＥ−ＳＩＧ  Ａ１９０５に基づいてＰＰＤＵの受信が指示されない場合、ＮＡＶ（ｎｅｔｗｏｒｋ  ａｌｌｏｃａｔｉｏｎ  ｖｅｃｔｏｒ）を設定することができる。
【０２３５】
図１９の下段を参照すると、ＤＬ（ｄｏｗｎｌｉｎｋ）ＭＵ（ｍｕｌｔｉ−ｕｓｅｒ）／ＵＬ  ＭＵ送信のためのＤＬ  ＭＵ  ＰＰＤＵフォーマット／ＵＬ  ＭＵ  ＰＰＤＵフォーマット（以下、ＭＵ  ＰＰＤＵ）が開示される。ＵＬ  ＭＵ  ＰＰＤＵフォーマットは、複数のＳＴＡにより送信されるＵＬ  ＭＵ  ＰＰＤＵを受信するＡＰの観点である。図６乃至図１８で前述したＰＳ−ｐｏｌｌ要求フレーム、ダウンリンクフレームは、ＤＬ  ＭＵ  ＰＰＤＵを介して送信されることができ、ＰＳ−ｐｏｌｌフレームは、ＵＬ  ＭＵ  ＰＰＤＵのデータフィールド（または、ＭＡＣペイロード）を介して送信されることができる。
【０２３６】
ＭＵ  ＰＰＤＵは、互いに異なるダウンリンク送信リソース（周波数リソースまたは時空間ストリーム）または互いに異なるアップリンク送信リソース（周波数リソースまたは時空間ストリーム）を介してＳＴＡまたはＡＰに送信されることができる。例えば、ＡＰは、ＤＬ  ＭＵ  ＰＰＤＵに基づいて複数のチャネル（または、サブバンド）を介して複数のＳＴＡにダウンリンクデータを送信することができる。複数のＳＴＡは、ＵＬ  ＭＵ  ＰＰＤＵを複数のチャネル（または、サブバンド）を介してＡＰにアップリンクデータを送信することができる。
【０２３７】
ＨＥ−ＳＩＧ  Ａ１９３５は、互いに異なる送信リソースの各々でデュプリケートされた形態で送信されることができる。ＨＥ−ＳＩＧ  Ｂ１９４５は、全体送信リソース上でエンコーディングされた形態で送信されることができる。ＨＥ−ＳＩＧ  Ｂ１９４５以後のフィールドは、複数のＳＴＡの各々のための個別ダウンリンクデータ／複数のＳＴＡの各々により送信される個別アップリンクデータを含むことができる。
【０２３８】
ＭＵ  ＰＰＤＵに含まれるフィールドが送信リソースの各々を介して各々送信される場合、フィールドの各々に対するＣＲＣがＭＵ  ＰＰＤＵに含まれることができる。それに対し、ＭＵ  ＰＰＤＵに含まれる特定フィールドが全体送信リソース上でエンコーディングされて送信される場合、フィールドの各々に対するＣＲＣがＭＵ  ＰＰＤＵに含まれない。したがって、ＣＲＣに対するオーバーヘッドが減少されることができる。即ち、本発明の実施例に係るＭＵ  ＰＰＤＵフォーマットは、全体送信リソース上でエンコーディングされた形態のＨＥ−ＳＩＧ  Ｂ１９４５を使用することによって、ＣＲＣオーバーヘッドを減少させることができる。
【０２３９】
ＭＵ  ＰＰＤＵフォーマットも同様に、ＨＥ−ＳＴＦ１９５５及びＨＥ−ＳＴＦ１９５５以後のフィールドは、ＨＥ−ＳＴＦ１９５５以前のフィールドと異なるＩＦＦＴサイズに基づいてエンコーディングされることができる。したがって、ＳＴＡまたはＡＰは、ＨＥ−ＳＩＧ  Ａ１９３５及びＨＥ−ＳＩＧ  Ｂ１９４５を受信し、ＨＥ−ＳＩＧ  Ａ１９３５に基づいてＭＵ  ＰＰＤＵの受信に対して指示を受けた場合、ＨＥ−ＳＴＦ１９５５からはＦＦＴサイズを変化させてＭＵ  ＰＰＤＵに対するデコーディングを実行することができる。
【０２４０】
図２０は、本発明の実施例が適用されることができる無線装置を示すブロック図である。
【０２４１】
図２０を参照すると、無線装置２０００は、前述した実施例を具現することができるＳＴＡであり、ＡＰ２０００または非ＡＰ  ＳＴＡ（ｎｏｎ−ＡＰ  ｓｔａｔｉｏｎ）（または、ＳＴＡ）２０５０である。
【０２４２】
ＡＰ２０００は、プロセッサ２０１０、メモリ２０２０及びＲＦ部（ｒａｄｉｏ  ｆｒｅｑｕｅｎｃｙ  ｕｎｉｔ）２０３０を含む。
【０２４３】
ＲＦ部２０３０は、プロセッサ２０２０と連結して無線信号を送信／受信することができる。
【０２４４】
プロセッサ２０２０は、本発明で提案された機能、過程及び／または方法を具現することができる。例えば、プロセッサ２０２０は、前述した本発明の実施例に係る無線装置の動作を実行するように具現されることができる。プロセッサは、図６乃至図１８の実施例で開示したＡＰの動作を実行することができる。
【０２４５】
例えば、プロセッサ２０２０は、ビーコンフレームを送信し、前記ビーコンフレームに含まれているＴＩＭ（ｔｒａｆｆｉｃ  ｉｎｄｉｃａｔｉｏｎ  ｍａｐ）要素の仮想ビットマップ（ｖｉｒｔｕａｌ  ｂｉｔｍａｐ）に基づいてペンディングとなっているダウンリンクデータの存在に対して指示を受けた複数のターゲットＳＴＡ（ｓｔａｔｉｏｎ）にＰＳ（ｐｏｗｅｒ  ｓａｖｉｎｇ）−ｐｏｌｌ要求フレームを送信するように具現されることができる。また、プロセッサ２０２０は、複数のターゲットＳＴＡのうちＰＳ−ｐｏｌｌ要求フレームに基づいて指示された複数のＰＳ−ｐｏｌｌ送信ＳＴＡの各々から重なった時間リソース上で複数のＰＳ−ｐｏｌｌフレームの各々を受信し、重なった時間リソース上で複数のＰＳ−ｐｏｌｌフレームの各々に対する応答として複数のＰＳ−ｐｏｌｌ送信ＳＴＡの各々に複数のダウンリンクフレームの各々を送信するように具現されることができる。
【０２４６】
ＳＴＡ２０５０は、プロセッサ２０６０、メモリ２０７０及びＲＦ部（ｒａｄｉｏ  ｆｒｅｑｕｅｎｃｙ  ｕｎｉｔ）２０８０を含む。
【０２４７】
ＲＦ部２０８０は、プロセッサ２０６０と連結して無線信号を送信／受信することができる。
【０２４８】
プロセッサ２０６０は、本発明で提案された機能、過程及び／または方法を具現することができる。例えば、プロセッサ２０２０は、前述した本発明の実施例に係る無線装置の動作を実行するように具現されることができる。プロセッサは、図６乃至図１８の実施例で無線装置の動作を実行することができる。
【０２４９】
例えば、プロセッサ２０６０は、ＡＰ（ａｃｃｅｓｓ  ｐｏｉｎｔ）からビーコンフレームを受信し、ＡＰからＰＳ（ｐｏｗｅｒ  ｓａｖｉｎｇ）−ｐｏｌｌ要求フレームを受信し、ＰＳ−ｐｏｌｌ要求フレームに対する応答としてＰＳ−ｐｏｌｌフレームをＡＰに送信し、ＰＳ−ｐｏｌｌフレームに対する応答としてダウンリンクフレームをＡＰから受信するように具現されることができる。
【０２５０】
また、プロセッサ２０６０は、仮想ビットマップに基づいて決定されたＳＴＡの第１のＰＳ−ｐｏｌｌフレーム送信シーケンスとＰＳ−ｐｏｌｌ要求フレームに含まれている第２のＰＳ−ｐｏｌｌフレーム送信シーケンスが同じかどうかを決定し、第１のＰＳ−ｐｏｌｌフレーム送信シーケンスと第２のＰＳ−ｐｏｌｌフレーム送信シーケンスが同じ場合、ＰＳ−ｐｏｌｌフレームをＡＰに送信するように具現されることができる。第１のＰＳ−ｐｏｌｌフレームシーケンスは、前記仮想ビットマップに含まれる複数の肯定トラフィック指示（ｐｏｓｉｔｉｖｅ  ｔｒａｆｆｉｃ  ｉｎｄｉｃａｔｉｏｎ）ビットのグルーピングに基づいて決定され、ＰＳ−ｐｏｌｌフレームの送信を指示する情報は、第２のＰＳ−ｐｏｌｌフレーム送信シーケンスに対する情報を含むことができる。
【０２５１】
また、プロセッサ２０６０は、ＳＴＡがＰＳ−ｐｏｌｌ要求フレームに含まれているＡＩＤ情報フィールドに基づいてＳＴＡのＡＩＤが指示されるかどうかを決定し、ＡＩＤがＡＩＤ情報フィールドに基づいて指示される場合、ＰＳ−ｐｏｌｌフレームをＡＰに送信するように具現されることができる。
【０２５２】
プロセッサ２０１０、２０６０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ２０２０、２０７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部２０３０、２０８０は、無線信号を送信及び／または受信する一つ以上のアンテナを含むことができる。
【０２５３】
実施例がソフトウェアで具現される時、前述した技法は、前述した機能を遂行するモジュール（過程、機能など）で具現されることができる。モジュールは、メモリ２０２０、２０７０に格納され、プロセッサ２０１０、２０６０により実行されることができる。メモリ２０２０、２０７０は、プロセッサ２０１０、２０６０の内部または外部にあり、よく知られた多様な手段でプロセッサ２０１０、２０６０と連結されることができる。
【図１】
0006352530.tif 000002
【図２】
0006352530.tif 000003
【図３】
0006352530.tif 000004
【図４】
0006352530.tif 000005
【図５】
0006352530.tif 000006
【図６】
0006352530.tif 000007
【図７】
0006352530.tif 000008
【図８】
0006352530.tif 000009
【図９】
0006352530.tif 000010
【図１０】
0006352530.tif 000011
【図１１】
0006352530.tif 000012
【図１２】
0006352530.tif 000013
【図１３】
0006352530.tif 000014
【図１４】
0006352530.tif 000015
【図１５】
0006352530.tif 000016
【図１６】
0006352530.tif 000017
【図１７】
0006352530.tif 000018
【図１８】
0006352530.tif 000019
【図１９】
0006352530.tif 000020
【図２０】
0006352530.tif 000021